(57)【要約】【課題】貯湯タンク内に未加熱水が多くある場合などにおいて、排熱を貯湯タンクの水の加熱に有効利用する。【解決手段】冷房モードでのヒートポンプ給湯機１の起動の際に、前記貯湯タンク２内の貯湯状況に応じて、冷房モードのままとするか、あるいは、冷房モードから前記沸上・冷房モードに切り替えるかを決定し、その決定されたモードによりヒートポンプ給湯機１を起動する。これにより、貯湯タンク２内に未加熱水が多くあった場合などにおいては、リモコン６０による操作者の指示が冷房モードであったとしても沸上・冷房モードの運転として、排熱を貯湯タンク２の水の加熱に有効利用することができる。【選択図】図１１
2018066518.tif 000002
【特許請求の範囲】
【請求項１】
室内空気と冷媒との熱交換を行う、室内熱交換器と、
湯水を貯湯する貯湯タンクと、
冷媒通路と水通路とを備え、前記冷媒通路内の前記冷媒と前記水通路内の水との熱交換を行う、水冷媒熱交換器と、
前記冷媒と外気との熱交換を行う、ヒートポンプ熱交換器と、
圧縮機と
を有し、
前記室内熱交換器により室内空気を冷却するとともに、前記冷却により回収した排熱を前記ヒートポンプ熱交換器に導いて前記外気へ排出する冷房モードでの運転と、
前記室内熱交換器により室内空気を冷却するとともに、前記冷却により回収した排熱を前記水冷媒熱交換器に導いて前記貯湯タンクへの水を加熱する沸上・冷房モードでの運転とを、選択的に実行可能な冷房機能付きヒートポンプ給湯機において、
前記冷房モードでの前記ヒートポンプ給湯機の起動の際に、前記貯湯タンク内の貯湯状況に応じて、前記冷房モードのままとするか、前記冷房モードから前記沸上・冷房モードに切り替えるか、を決定する第１モード決定手段と、
前記第１モード決定手段により決定されたモードにより前記ヒートポンプ給湯機を起動する起動手段と
を有することを特徴とする冷房機能付きヒートポンプ給湯機。
【請求項２】
前記冷房モードでの前記ヒートポンプ給湯機の起動の際に、前記貯湯タンク内の未加熱水の量若しくは前記貯湯タンク内の未加熱水を所定温度にするための沸上時間を算出する未加熱水算出手段をさらに有し、
前記第１モード決定手段は、
前記未加熱水算出手段により算出された前記未加熱水の量の大小若しくは前記沸上時間の長短に応じて、前記冷房モードのままとするか、前記冷房モードから前記沸上・冷房モードに切り替えるか、を決定する
ことを特徴とする請求項１記載の冷房機能付きヒートポンプ給湯機。
【請求項３】
前記未加熱水算出手段は、
前記貯湯タンク内の前記未加熱水の量を算出し、
前記第１モード決定手段は、
前記未加熱水算出手段により算出された前記未加熱水の量が所定の第１しきい値以上であれば、前記冷房モードから前記沸上・冷房モードに切り替え、
前記未加熱水算出手段により算出された前記未加熱水の量が前記第１しきい値未満であれば、前記冷房モードのままとする
ことを特徴とする請求項２記載の冷房機能付きヒートポンプ給湯機。
【請求項４】
前記未加熱水算出手段は、
前記貯湯タンク内の未加熱水を所定温度にするための前記沸上時間を算出し、
前記第１モード決定手段は、
前記未加熱水算出手段により算出された前記沸上時間が所定の第２しきい値以上であれば、前記冷房モードから前記沸上・冷房モードに切り替え、
前記未加熱水算出手段により算出された前記沸上時間が前記第２しきい値未満であれば、前記冷房モードのままとする
ことを特徴とする請求項２記載の冷房機能付きヒートポンプ給湯機。
【請求項５】
前記起動手段により前記沸上・冷房モードで前記ヒートポンプ給湯機が起動された後、予め定められた水量の沸上が終了した際に、前記貯湯タンク内の貯湯状況に応じて、前記沸上・冷房モードのままとするか、前記沸上・冷房モードから前記冷房モードに切り替えるか、を決定する第２モード決定手段をさらに有し、
前記起動手段は、
前記第１モード決定手段又は前記第２モード決定手段により決定されたモードにより前記ヒートポンプ給湯機を起動する
ことを特徴とする請求項１乃至請求項４の何れかに記載の冷房機能付きヒートポンプ給湯機。
【請求項６】
前記未加熱水算出手段は、
前記予め定められた水量の沸上が終了した際に、前記貯湯タンク内の未加熱水の量若しくは前記貯湯タンク内の未加熱水を所定温度にするための沸上時間を算出し、
前記第２モード決定手段は、
前記未加熱水算出手段により算出された前記未加熱水の量の大小若しくは前記沸上時間の長短に応じて、前記沸上・冷房モードのままとするか、前記沸上・冷房モードから前記冷房モードに切り替えるか、を決定する
ことを特徴とする請求項５記載の冷房機能付きヒートポンプ給湯機。
【請求項７】
前記第２モード決定手段は、
前記未加熱水算出手段により算出された前記未加熱水の量が所定の第３しきい値未満であったことを契機に、前記沸上・冷房モードから前記冷房モードに切り替え、
前記未加熱水算出手段により算出された前記未加熱水の量が前記第３しきい値以上であれば、前記沸上・冷房モードのままとする
ことを特徴とする請求項６記載の冷房機能付きヒートポンプ給湯機。
【請求項８】
前記第２モード決定手段は、
前記未加熱水算出手段により算出された前記未加熱水の量が前記第３しきい値未満でかつ前記第３しきい値より小さい第４しきい値以上であった場合には、前記室内空気の実際値とユーザによる前記室内空気の設定温度との温度差が所定の第５しきい値以上であることを条件に、前記沸上・冷房モードのままとする
ことを特徴とする請求項７記載の冷房機能付きヒートポンプ給湯機。
【請求項９】
前記第２モード決定手段は、
前記未加熱水算出手段により算出された前記沸上時間が所定の第６しきい値未満であったことを契機に、前記沸上・冷房モードから前記冷房モードに切り替え、
前記未加熱水算出手段により算出された前記沸上時間が前記第６しきい値以上であれば、前記沸上・冷房モードのままとする
ことを特徴とする請求項６記載の冷房機能付きヒートポンプ給湯機。
【請求項１０】
前記第２モード決定手段は、
前記未加熱水算出手段により算出された前記沸上時間が前記第６しきい値未満でかつ前記第６しきい値より小さい第７しきい値以上であった場合には、前記室内空気の実際値とユーザによる前記室内空気の設定温度との温度差が所定の第８しきい値以上であることを条件に、前記沸上・冷房モードのままとする
ことを特徴とする請求項９記載の冷房機能付きヒートポンプ給湯機。
【発明の詳細な説明】
【技術分野】
【０００１】
この発明は、室内空気の冷却及び貯湯タンク内の湯水の加熱を並行して行う沸上・冷房運転を実行可能な、冷房機能付きヒートポンプ給湯機に関するものである。
【背景技術】
【０００２】
従来よりこの種の給湯機においては、特許文献１記載のように、室内空気の冷却のみを行う冷房モードでの運転と、室内空気の冷却及び貯湯タンク内の湯水の加熱を並行して行う沸上・冷房モードでの運転とを、選択的に実行するものがあった。
【先行技術文献】
【特許文献】
【０００３】
【特許文献１】特許４６１０６８８号公報
【発明の概要】
【発明が解決しようとする課題】
【０００４】
例えば操作者の操作により前記冷房モードでの運転が指示されたときであっても、貯湯タンク内に未加熱水が多くある場合などは、前記冷房モードでの運転で単に排熱を外気へ無駄に放出するよりも、自動的に前記沸上・冷房モードでの運転に切り替えて前記排熱を貯湯タンクの水の加熱に使用したほうが有意義である。前記の従来技術においては、そのような点には特に配慮されていなかった。
【課題を解決するための手段】
【０００５】
上記課題を解決するために、本発明の請求項１では、室内空気と冷媒との熱交換を行う、室内熱交換器と、湯水を貯湯する貯湯タンクと、冷媒通路と水通路とを備え、前記冷媒通路内の前記冷媒と前記水通路内の水との熱交換を行う、水冷媒熱交換器と、前記冷媒と外気との熱交換を行う、ヒートポンプ熱交換器と、圧縮機とを有し、前記室内熱交換器により室内空気を冷却するとともに、前記冷却により回収した排熱を前記ヒートポンプ熱交換器に導いて前記外気へ排出する冷房モードでの運転と、前記室内熱交換器により室内空気を冷却するとともに、前記冷却により回収した排熱を前記水冷媒熱交換器に導いて前記貯湯タンクへの水を加熱する沸上・冷房モードでの運転とを、選択的に実行可能な冷房機能付きヒートポンプ給湯機において、前記冷房モードでの前記ヒートポンプ給湯機の起動の際に、前記貯湯タンク内の貯湯状況に応じて、前記冷房モードのままとするか、前記冷房モードから前記沸上・冷房モードに切り替えるか、を決定する第１モード決定手段と、前記第１モード決定手段により決定されたモードにより前記ヒートポンプ給湯機を起動する起動手段とを有するものである。
【０００６】
また、請求項２では、前記冷房モードでの前記ヒートポンプ給湯機の起動の際に、前記貯湯タンク内の未加熱水の量若しくは前記貯湯タンク内の未加熱水を所定温度にするための沸上時間を算出する未加熱水算出手段をさらに有し、前記第１モード決定手段は、前記未加熱水算出手段により算出された前記未加熱水の量の大小若しくは前記沸上時間の長短に応じて、前記冷房モードのままとするか、前記冷房モードから前記沸上・冷房モードに切り替えるか、を決定するものである。
【０００７】
また、請求項３では、前記未加熱水算出手段は、前記貯湯タンク内の前記未加熱水の量を算出し、前記第１モード決定手段は、前記未加熱水算出手段により算出された前記未加熱水の量が所定の第１しきい値以上であれば、前記冷房モードから前記沸上・冷房モードに切り替え、前記未加熱水算出手段により算出された前記未加熱水の量が前記第１しきい値未満であれば、前記冷房モードのままとするものである。
【０００８】
また、請求項４では、前記未加熱水算出手段は、前記貯湯タンク内の未加熱水を所定温度にするための前記沸上時間を算出し、前記第１モード決定手段は、前記未加熱水算出手段により算出された前記沸上時間が所定の第２しきい値以上であれば、前記冷房モードから前記沸上・冷房モードに切り替え、前記未加熱水算出手段により算出された前記沸上時間が前記第２しきい値未満であれば、前記冷房モードのままとするものである。
【０００９】
また、請求項５では、前記起動手段により前記沸上・冷房モードで前記ヒートポンプ給湯機が起動された後、予め定められた水量の沸上が終了した際に、前記貯湯タンク内の貯湯状況に応じて、前記沸上・冷房モードのままとするか、前記沸上・冷房モードから前記冷房モードに切り替えるか、を決定する第２モード決定手段をさらに有し、前記起動手段は、前記第１モード決定手段又は前記第２モード決定手段により決定されたモードにより前記ヒートポンプ給湯機を起動するものである。
【００１０】
また、請求項６では、前記未加熱水算出手段は、前記予め定められた水量の沸上が終了した際に、前記貯湯タンク内の未加熱水の量若しくは前記貯湯タンク内の未加熱水を所定温度にするための沸上時間を算出し、前記第２モード決定手段は、前記未加熱水算出手段により算出された前記未加熱水の量の大小若しくは前記沸上時間の長短に応じて、前記沸上・冷房モードのままとするか、前記沸上・冷房モードから前記冷房モードに切り替えるか、を決定するものである。
【００１１】
また、請求項７では、前記第２モード決定手段は、前記未加熱水算出手段により算出された前記未加熱水の量が所定の第３しきい値未満であったことを契機に、前記沸上・冷房モードから前記冷房モードに切り替え、前記未加熱水算出手段により算出された前記未加熱水の量が前記第３しきい値以上であれば、前記沸上・冷房モードのままとするものである。
【００１２】
また、請求項８では、前記第２モード決定手段は、前記未加熱水算出手段により算出された前記未加熱水の量が前記第３しきい値未満でかつ前記第３しきい値より小さい第４しきい値以上であった場合には、前記室内空気の実際値とユーザによる前記室内空気の設定温度との温度差が所定の第５しきい値以上であることを条件に、前記沸上・冷房モードのままとするものである。
【００１３】
また、請求項９では、前記第２モード決定手段は、前記未加熱水算出手段により算出された前記沸上時間が所定の第６しきい値未満であったことを契機に、前記沸上・冷房モードから前記冷房モードに切り替え、前記未加熱水算出手段により算出された前記沸上時間が前記第６しきい値以上であれば、前記沸上・冷房モードのままとするものである。
【００１４】
また、請求項１０では、前記第２モード決定手段は、前記未加熱水算出手段により算出された前記沸上時間が前記第６しきい値未満でかつ前記第６しきい値より小さい第７しきい値以上であった場合には、前記室内空気の実際値とユーザによる前記室内空気の設定温度との温度差が所定の第８しきい値以上であることを条件に、前記沸上・冷房モードのままとするものである。
【発明の効果】
【００１５】
この発明の請求項１によれば、冷房モードでの運転と、沸上・冷房モードでの運転が選択的に実行可能である。冷房モードでの運転時には、室内熱交換器において冷媒が蒸発することで室内空気から熱を回収して冷却し、その回収した排熱がヒートポンプ熱交換器において外気へ排出される。沸上・冷房モードでの運転時には、室内熱交換器において冷媒が蒸発することで室内空気から熱を回収して冷却し、その回収した排熱が水冷媒熱交換器の前記冷媒通路に導かれて前記水通路内の水へ放熱することにより、貯湯タンクへの水が加熱される。
ここで、例えば操作者の操作により前記冷房モードによる運転が指示されたときであっても、貯湯タンク内に未加熱水が多くある場合などは、前記冷房モードの運転により単に前記排熱を外気へ無駄に放出するより前記沸上・冷房モードの運転として前記排熱を貯湯タンクの水の加熱に使用したほうが有意義である。
そこで請求項１によれば、モード決定手段（第１モード決定手段）が設けられる。そして、前記第１モード決定手段は、前記冷房モードでのヒートポンプ給湯機の起動の際に、前記貯湯タンク内の貯湯状況に応じて、前記冷房モードのままとするか、あるいは、前記冷房モードから前記沸上・冷房モードに切り替えるか、を決定する。この決定の後、起動手段が、その決定されたモードによりヒートポンプ給湯機を起動する。
これにより、貯湯タンク内に未加熱水が多くある場合などにおいては、（例えば前記のように操作者の指示が冷房モードであったとしても）前記沸上・冷房モードの運転として、前記排熱を貯湯タンクの水の加熱に有効利用することができる。
【００１６】
また、請求項２によれば、未加熱水算出手段により、前記貯湯タンク内の未加熱水の量が算出されるか、若しくは、前記貯湯タンク内の未加熱水を所定温度にするための沸上時間が算出される。そして未加熱水の量の大小、若しくは、沸上時間の長短に応じて、第１モード決定手段によるモード決定が行われる。
これにより、貯湯タンク内に未加熱水が比較的多くある場合（算出された未加熱水の量が多い場合若しくは算出された沸上時間が長い場合）に、前記沸上・冷房モードの運転として、前記排熱を確実に有効利用することができる。
また、例えば、沸上・冷房モードの運転時における沸上が終了して冷房モードに戻る場合、通常、圧縮機の動作を一旦停止させ、各種の弁の切り替えなどを行った後、圧縮機を再起動させる必要がある。前記のようにして算出された未加熱水の量が少なかったり沸上時間が短い場合には、沸上・冷房モードによって起動した後すぐに沸上が完了して前記圧縮機の停止時間を迎えてしまい、不用意な室温上昇を招き室内の快適性を阻害する恐れがある。請求項２によれば、前記のようにしてモード決定が行われることで、貯湯タンク内の未加熱水が比較的少ない場合（算出された未加熱水の量が少ない場合若しくは算出された沸上時間が短い場合）には、前記沸上・冷房モードに切り替えず前記冷房モードのままの運転として、前記室温上昇を確実に防止することができる。
【００１７】
また、請求項３によれば、未加熱水の量がしきい値（第１しきい値）以上の場合に前記沸上・冷房モードの運転とすることで、前記排熱を確実に有効利用した沸上を実行することができ、未加熱水の量がしきい値（第１しきい値）未満の場合に前記冷房モードのままの運転とすることで、前記室温上昇を確実に防止できる。
【００１８】
また、請求項４によれば、未加熱水の沸上時間がしきい値（第２しきい値）以上の場合に前記沸上・冷房モードの運転とすることで、前記排熱を確実に有効利用した沸上を実行することができ、沸上時間がしきい値（第２しきい値）未満の場合に前記冷房モードのままの運転とすることで、前記室温上昇を確実に防止できる。
【００１９】
また、請求項５によれば、前記したように、沸上・冷房モードでの運転時に、室内熱交換器において室内空気から熱が回収され、その排熱が水冷媒熱交換器で放熱されて貯湯タンクへの水が加熱される。こうして所定量（例えば操作者が指定した量あるいは給湯機側で予め定められている量）の沸上が完了したら、前記冷房モードへと復帰する。ところで、通常、前記所定量は貯湯タンク内の全容量ではなく、前記所定量の沸上が完了した時点であっても、貯湯タンク内にある程度の未加熱水が残っている場合も多い。
そこで請求項５によれば、モード決定手段（第２モード決定手段）が設けられる。そして、前記第２モード決定手段は、前記沸上・冷房モードでの運転がなされた後、予め定められた水量の沸上が終了した際に、前記貯湯タンク内の貯湯状況に応じて、前記沸上・冷房モードのままとするか、あるいは、前記沸上・冷房モードから前記冷房モードに切り替えるか、を決定する。この決定の後、起動手段が、その決定されたモードによりヒートポンプ給湯機を起動する。
これにより、前記所定量の沸上が完了したときであっても貯湯タンク内に未加熱水がまだ比較的多くある場合などにおいては、（前記のように冷房モードに戻すことなく）引き続き前記沸上・冷房モードの運転として、前記排熱を貯湯タンクの水の加熱に有効利用することができる。
【００２０】
また、請求項６によれば、未加熱水算出手段により、前記貯湯タンク内の未加熱水の量が算出されるか、若しくは、前記貯湯タンク内の未加熱水を所定温度にするための沸上時間が算出される。そして未加熱水の量の大小、若しくは、沸上時間の長短に応じて、第２モード決定手段によるモード決定が行われる。
これにより、貯湯タンク内に未加熱水が比較的多くある場合（算出された未加熱水の量が多い場合若しくは算出された沸上時間が長い場合）に、前記沸上・冷房モードのままの運転として、前記排熱を確実に有効利用することができる。
また、貯湯タンク内の未加熱水が比較的少ない場合（算出された未加熱水の量が少ない場合若しくは算出された沸上時間が短い場合）には、前記沸上・冷房モードのまま運転しても短時間のうちに沸上完了してしまい冷房モードへの切り替えがいずれにしても必要になるとみて、早めのタイミングにて沸上・冷房モードから前記冷房モードに切り替えを実行可能となる。
【００２１】
また、請求項７によれば、未加熱水の量がしきい値（第３しきい値）以上の場合に前記沸上・冷房モードのままの運転とすることで、前記排熱を確実に有効利用した沸上を実行することができ、未加熱水の量がしきい値（第３しきい値）未満の場合に（いずれ必要となる）前記冷房モードへの切り替えを確実に実行可能となる。
【００２２】
また、前記のようにモード切替の際には前記圧縮機の停止時間のために室温上昇を招く。特に室内空気の実際値とユーザによる室内空気の設定温度との温度差が大きい場合には余り冷えていない状態での冷却中断によって快適性を大きく阻害する恐れがある。そこで請求項８によれば、前記のように未加熱水の量がしきい値（第３しきい値）未満の場合であったとしても第４しきい値以上であって（これによって沸上完了までの沸上時間がある程度は確保されることとなる）、かつ前記温度差が所定のしきい値（第５しきい値以上）以上である場合には、前記沸上・冷房モードのままの運転とすることで、前記快適性の低下を確実に防止することができる。
【００２３】
また、請求項９によれば、未加熱水の沸上時間がしきい値（第６しきい値）以上の場合に前記沸上・冷房モードのままの運転とすることで、前記排熱を確実に有効利用した沸上を実行することができ、未加熱水の沸上時間がしきい値（第６しきい値）未満の場合に（いずれ必要となる）前記冷房モードへの切り替えを確実に実行可能となる。
【００２４】
また、請求項１０によれば、前記のように未加熱水の沸上時間がしきい値（第６しきい値）未満の場合であったとしても第７しきい値以上であって（これによって沸上完了までの沸上時間がある程度は確保されることとなる）、かつ前記温度差が所定のしきい値（第８しきい値以上）以上である場合には、前記沸上・冷房モードのままの運転とすることで、前記したような室温上昇による快適性の低下を確実に防止することができる。
【図面の簡単な説明】
【００２５】
【図１】本発明の一実施形態の冷房機能付きヒートポンプ給湯機の主要なユニットの外観構成図
【図２】ヒートポンプ給湯機全体の回路構成図
【図３】ヒーポン制御部の機能的構成図
【図４】貯湯制御部の機能的構成図
【図５】エアコン制御部の機能的構成図
【図６】沸上モード時の作動を説明する図
【図７】暖房モード時の作動を説明する図
【図８】沸上・暖房モード時の作動を説明する図
【図９】冷房モード時の作動を説明する図
【図１０】沸上・冷房モード時の作動を説明する図
【図１１】モード設定部が実行する制御手順を表すフローチャート図
【図１２】沸上・冷房モードから冷房モードに切り替えるときのシーケンス図
【図１３】未加熱水の沸上時間を見積もる変形例においてモード設定部が実行する制御手順を表すフローチャート図
【発明を実施するための形態】
【００２６】
以下、本発明の一実施形態を図１〜図１３に基づいて説明する。
【００２７】
本実施形態の冷房機能付き（但し暖房機能も付属している）ヒートポンプ給湯機１の主要なユニットの外観構成を図１に示す。図１において、本実施形態のヒートポンプ給湯機１は、貯湯タンク２（後述の図２等参照）を備えた貯湯ユニット１００と、ヒートポンプユニット３００と、エアコンユニット２００とを有している。
【００２８】
本実施形態のヒートポンプ給湯機１全体の回路構成を図２に示す。図２に示すように、前記貯湯ユニット１００は、冷媒を流通させる冷媒通路としての冷媒側の流路１５ｂと水通路としての水側の流路１５ａとを有し、高温高圧の冷媒と貯湯タンク２内の湯水とを熱交換する凝縮器として機能する水冷媒熱交換器１５と、沸上ポンプ１９と、を備えている。すなわち、前記水冷媒熱交換器１５の前記水側の流路１５ａと前記貯湯タンク２とが加熱往き管５及び加熱戻り管６によって環状に接続され、前記貯湯ユニット１００内で加熱循環回路４が形成されている。
【００２９】
加熱往き管５は、前記貯湯タンク２の下部に接続され、加熱戻り管６は、前記貯湯タンク２の上部に接続されている。前記沸上ポンプ１９は、前記加熱往き管５の途中に設けられ、前記水側の流路１５ａを介し前記加熱往き管５からの湯水を前記加熱戻り管６へ流通させつつ、貯湯タンク２の湯水を循環させる。なお、前記加熱往き管５には、前記水冷媒熱交換器１５の前記水側の流路１５ａに流入する入水温度Ｔ１（湯水の入口温度）を検出する入水温度センサ２３が設けられ、前記加熱戻り管６には、前記水側の流路１５ａから前記貯湯タンク２に向かって流出する沸上温度Ｔｂを検出する沸上温度センサ２４が設けられている。
【００３０】
貯湯タンク２の側面には、貯湯タンク２内の湯水の温度（貯湯温度）をそれぞれ検出し前記湯水の加熱状況（言い替えれば貯湯状況）を検知するための貯湯温度センサ１２が上下にわたり複数設けられている。前記貯湯タンク２の下部にはまた、貯湯タンク２に水を給水する給水管７が接続され、前記貯湯タンク２の上部にはまた、貯湯されている高温水を出湯する出湯管８が接続され、給水管７からは給水バイパス管９が分岐して設けられている。さらに、出湯管８からの湯と給水バイパス管９からの水とを混合して給湯設定温度の湯とする混合弁１０と、混合弁１０で混合後の給湯温度を検出する給湯温度センサ１１と、が設けられている。
【００３１】
一方、前記水冷媒熱交換器１５における熱交換（詳細は後述）によって前記貯湯タンク２内の湯水を加熱可能な冷媒循環回路３０が、前記ヒートポンプユニット３００、前記貯湯ユニット１００、及び前記エアコンユニット２００にわたって設けられている。前記冷媒循環回路３０は、前記ヒートポンプユニット３００内に配置されたヒーポン回路部３０Ａと、前記貯湯ユニット１００内に配置された貯湯回路部３０Ｂと、前記エアコンユニット２００内に配置されたエアコン回路部３０Ｃとを含んでいる。
【００３２】
前記ヒーポン回路部３０Ａは、前記冷媒の流路となる冷媒配管１８を備えており、冷媒を圧縮する圧縮機１４と、四方弁３１と、前記冷媒と外気との熱交換により凝縮器又は蒸発器として選択的に機能（詳細は後述）するヒートポンプ熱交換器としての室外熱交換器１７とが、前記冷媒配管１８によって接続されている。なお、室外熱交換器１７には、前記室外熱交換器１７に外気を通じるための室外ファン６７が設けられている。
【００３３】
詳細には、前記冷媒配管１８は、圧縮機１４の吐出側となる配管部１８ａと、沸上モード時（後述の図６参照）等において前記四方弁３１を介し前記配管部１８ａに接続される配管部１８ｂとを含んでいる。前記配管部１８ｂは、ヒートポンプユニット３００外への出口となる接続口６８ａにおいて、前記ヒートポンプユニット３００と前記貯湯ユニット１００とを接続する連通管路１０１に連通している。
【００３４】
また前記冷媒配管１８は、前記圧縮機１４の吸入側となる配管部１８ｃと、沸上モード時（後述の図６参照）等において前記室外熱交換器１７の圧縮機１４側（言い替えれば前記沸上モード時等における出口側、以下同様。後述の図６等参照）を前記四方弁３１を介し前記配管部１８ｃに接続する配管部１８ｄと、前記室外熱交換器１７の反圧縮機１４側（言い替えれば前記沸上モード時等における入口側、以下同様。後述の図６等参照）に接続される配管部１８ｅとを含んでいる。前記配管部１８ｅは、膨張弁１１３を備えており、前記接続口６８ａとは別の接続口６８ｂにおいて、前記ヒートポンプユニット３００と前記貯湯ユニット１００とを接続する連通管路１０２に連通している。
【００３５】
前記四方弁３１は４つのポートを備える弁であり、前記冷媒配管１８のうち（冷媒主経路を構成する）前記配管部１８ｂ，１８ｄ用の２つのポートのそれぞれに対して、残りの前記配管部１８ａ，１８ｃ用の２つのポートのいずれを接続するかを切り替える。前記配管部１８ａ，１８ｃ用の２つのポートどうしは、ループ状に配置された前記配管部１８ａ，１８ｃからなる冷媒副経路によって接続されており、この冷媒副経路上に前記圧縮機１４が設けられている。例えば四方弁３１は、後述する図６の状態に切り替えられた場合（以下適宜、「暖房側への切替」等と称する）は、前記圧縮機１４の吐出側である前記配管部１８ａを前記水冷媒熱交換器１５の入口側である前記配管部１８ｂに連通させ、後述する図９の状態に切り替えられた場合（以下適宜、「冷房側への切替」等と称する）は、前記配管部１８ａを前記室外熱交換器１７側である前記配管部１８ｄに連通させる。
【００３６】
なお、前記の圧縮機１４、四方弁３１、室外熱交換器１７、室外ファン６７、及び膨張弁１１３等は、前記ヒートポンプユニット３００の筐体に内包されている（図１参照）。
【００３７】
前記貯湯回路部３０Ｂは、前記冷媒の流路となる冷媒配管２５を備えており、前記水冷媒熱交換器１５の前記冷媒側の流路１５ｂが、前記冷媒配管２５に接続されている。
【００３８】
詳細には、前記冷媒配管２５は、貯湯ユニット１００外への出口となる接続口７５ａにおいて前記連通管路１０１に連通する配管部２５ａと、前記配管部２５ａから分岐して接続されるとともに、反配管部２５ａ側が前記水冷媒熱交換器１５（詳細には前記冷媒側の流路１５ｂ）の入口側に接続される配管部２５ｂと、前記水冷媒熱交換器１５（詳細には前記冷媒側の流路１５ｂ）の出口側に接続される配管部２５ｃとを含んでいる。前記配管部２５ｂは、前記四方弁３１と前記水冷媒熱交換器１５の入口側である前記配管部２５ｂを開閉可能な二方弁１２１を備えており、前記配管部２５ｃは全閉機能付きの膨張弁１１１を備えている。
【００３９】
また前記冷媒配管２５は、前記配管部２５ｂ同様、前記配管部２５ａから分岐して接続される配管部２５ｄを含んでいる。前記配管部２５ｄの反配管部２５ａ側は、貯湯ユニット１００外への出口となる接続口９５ａにおいて、前記貯湯ユニット１００と前記エアコンユニット２００とを接続する連通管路１０４に連通している。
【００４０】
さらに前記冷媒配管２５は、前記配管部２５ｃの反水冷媒熱交換器１５側から分岐して接続されるとともに、反配管部２５ｃ側が、前記接続口７５ａとは別の接続口７５ｂにおいて前記連通管路１０２に連通する配管部２５ｅと、前記配管部２５ｄと前記配管部２５ｅとを連通する配管部２５ｆと、前記配管部２５ｅ同様に前記配管部２５ｃの反水冷媒熱交換器１５側から分岐して接続されるとともに、貯湯ユニット１００外への出口となる接続口９５ｂにおいて、前記貯湯ユニット１００と前記エアコンユニット２００とを接続する連通管路１０３に連通する配管部２５ｇとを含んでいる。前記配管部２５ｄは、前記配管部２５ａとの接続点と前記配管部２５ｆとの接続点の間に配管部２５ｄを開閉可能な二方弁１２２を備えており、前記配管部２５ｅは、前記配管部２５ｇとの接続点と前記配管部２５ｆとの接続点の間に配管部２５ｅを開閉可能な二方弁１２３を備えており、前記配管部２５ｆは、配管部２５ｆを開閉可能な二方弁１２４を備えており、前記配管部２５ｇは全閉機能付きの膨張弁１１２を備えている。この結果、前記二方弁１２３は、前記膨張弁１１３と前記膨張弁１１２との間の管路を開閉する機能を備え、前記膨張弁１１１は、前記水冷媒熱交換器１５の出口側と前記膨張弁１１２との間の管路を開閉する機能を備える。また、前記連通管路１０１は、前記二方弁１２１，１２２と前記四方弁３１とを連通する機能を備え、前記連通管路１０２は、前記二方弁１２３，１２４と前記膨張弁１１３とを連通する機能を備える。言い換えれば、貯湯ユニット１００とヒートポンプユニット３００とは、前記連通管路１０１，１０２によって接続されている（図１も参照）。
【００４１】
なお、前記の二方弁１２１，１２２，１２３，１２４、膨張弁１１１，１１２、水冷媒熱交換器１５、及び貯湯タンク２等は、前記貯湯ユニット１００の筐体に内包されている（図１参照）。なお、前記膨張弁１１２は後述の配管部２６ｂ（すなわち前記エアコンユニット２００の筐体内）に設けても良い。
【００４２】
前記エアコン回路部３０Ｃは、前記冷媒の流路となる冷媒配管２６を備えており、前記冷媒と室内空気との熱交換により凝縮器又は蒸発器として選択的に機能（詳細は後述）する室内熱交換器２７が前記冷媒配管２６に接続されている。なお、室内熱交換器２７には、前記室内熱交換器２７に室内空気を通じるための室内ファン７７が設けられている。
【００４３】
詳細には、前記冷媒配管２６は、エアコンユニット２００外への出口となる接続口７６ａにおいて前記連通管路１０４に連通するとともに、反連通管路１０４側が前記室内熱交換器２７の前記接続口７６ａ側（言い替えれば暖房モード時等における入口側、以下同様。後述の図７等参照）に接続される配管部２６ａと、前記接続口７６ａとは別の接続口７６ｂにおいて前記連通管路１０３に連通するとともに、反連通管路１０３側が前記室内熱交換器２７の前記接続口７６ｂ側（言い替えれば暖房モード時等における出口側、以下同様。後述の図７等参照）に接続される配管部２６ｂとを含んでいる。この結果、前記二方弁１２２は、前記室内熱交換器２７の反膨張弁１１２側である前記配管部２６ａと圧縮機１４との間の管路を開閉する機能を備え、前記二方弁１２４は、前記室内熱交換器２７の反膨張弁１１２側である前記配管部２６ａと前記膨張弁１１３との間の管路を開閉する機能を備える。また、前記連通管路１０３は、前記膨張弁１１２と前記室内熱交換器２７の前記膨張弁１１２側とを連通する機能を備え、前記連通管路１０４は、前記二方弁１２２，１２４と前記室内熱交換器２７の反膨張弁１１２側とを連通する機能を備える。言い換えれば、貯湯ユニット１００とエアコンユニット２００とは、前記連通管路１０３，１０４によって接続されている（図１も参照）。
【００４４】
なお、前記の室内熱交換器２７及び室内ファン７７等は、前記エアコンユニット２００の筐体に内包されている（図１参照）。
【００４５】
前記冷媒循環回路３０内には、冷媒として例えばＲ３２冷媒が用いられ、ヒートポンプサイクルを構成している。なお、冷媒はＨＦＣ冷媒やＨＦＯ冷媒、二酸化炭素冷媒であってもよい。そして、前記ヒーポン回路部３０Ａの前記冷媒配管１８において、前記配管部１８ａには、圧縮機１４から吐出される冷媒吐出温度Ｔｏｕｔを検出する吐出温度センサ２０が設けられ、前記配管部１８ｃには、圧縮機１４へ吸入される冷媒の冷媒吸入温度Ｔｉｎを検出する吸入温度センサ３２が設けられている。なお、前記室外熱交換器１７の空気入口側には、外気温度Ｔａｉｒを検出する外気温度センサ２２が設けられ、かつ室外熱交換器１７内には、ヒーポン熱交温度Ｔｅｘ（蒸発器として作用している時の蒸発冷媒温度）を検出する熱交温度センサ３５が設けられている。これらのセンサ２０，３２，２２，３５の検出結果は、ヒートポンプユニット３００に設けられたヒーポン制御部４１０に入力され、さらに適宜、貯湯ユニット１００に設けられた貯湯制御部４２０やエアコンユニット２００に設けられたエアコン制御部４３０へも入力される（ヒーポン制御部４１０を介し受信しても良いし、センサ２０，３２，２２から直接受信してもよい）。
【００４６】
また、前記貯湯回路部３０Ｂの前記冷媒配管２５において、前記配管部２５ｃには、前記冷媒側の流路１５ｂから流出し前記膨張弁１１１に向かう冷媒流出温度Ｔ２を検出する流出温度センサ２１が設けられている。なお、前記水冷媒熱交換器１５には、前記冷媒が前記冷媒側の流路１５ｂにおいて凝縮する際の冷媒凝縮温度を検出する凝縮温度センサ３３が設けられている。これらのセンサ２１，３３の検出結果は、貯湯ユニット１００に設けられた貯湯制御部４２０に入力され、さらに適宜、ヒートポンプユニット３００に設けられた前記ヒーポン制御部４１０やエアコンユニット２００に設けられた前記エアコン制御部４３０へも入力される（貯湯制御部４２０を介し受信しても良いし、センサ２１，３３から直接受信してもよい）。
【００４７】
また、前記エアコン回路部３０Ｃの前記冷媒配管２６に関して、前記室内熱交換器２７には、空調対象空間の室内温度Ｔｒを検出する室内温度センサ３４が設けられている。このセンサ３４の検出結果は、エアコンユニット２００に設けられたエアコン制御部４３０に入力され、さらに適宜、ヒートポンプユニット３００に設けられた前記ヒーポン制御部４１０や貯湯ユニット１００に設けられた前記貯湯制御部４２０へも入力される（エアコン制御部４３０を介し受信しても良いし、センサ３４から直接受信してもよい）。
【００４８】
そして、前記貯湯ユニット１００の前記貯湯制御部４２０、前記ヒートポンプユニット３００の前記ヒーポン制御部４１０、及び、前記エアコンユニット２００の前記エアコン制御部４３０は、互いに通信可能に接続されており、前記各センサの検出結果に基づき、相互に連携しつつ、前記貯湯ユニット１００、前記ヒートポンプユニット３００、前記エアコンユニット２００内の各機器・アクチュエータの動作を制御する。特に、前記二方弁１２１，１２２，１２３，１２４及び前記膨張弁１１１，１１２，１１３の開閉動作や開度を制御し、冷媒の流れる経路を切り替えることにより、貯湯タンク２内の湯水を加熱して（加熱された湯水の供給）沸上を行う沸上モード（後述）での運転、前記空調対象空間の室内冷房を行う冷房モード（後述）での運転、前記空調対象空間の室内暖房を行う暖房モード（後述）での運転、前記沸上と前記冷房とを並行して行う沸上・冷房モード（後述）での運転、及び、前記沸上と前記暖房とを並行して行う沸上・暖房モード（後述）での運転を選択的に実行することができる。
【００４９】
このとき、前記エアコンユニット２００は、リモコン等の適宜の操作部６０（以下単に「リモコン６０」と称する）によって操作可能である。すなわち、リモコン６０は、例えば前記エアコン制御部４３０に対し情報送受信可能に接続されており、ユーザは、このリモコン６０を適宜に手動操作することにより、前記の沸上モード、冷房モード、及び、暖房モードのいずれの運転を行うかを指示することができる。なお、沸上・冷房モード（又は沸上・暖房モード）については、ユーザによりリモコン６０を介し前記冷房モード（又は暖房モード）の指示があったとき、貯湯タンク２内における貯湯状況（未加熱水の量など）に応じて、適宜、自動的に沸上・冷房モード（又は沸上・暖房モード）に切り替えられるものである（沸上・冷房モードへの切替については後に詳述）。さらに、このリモコン６０における適宜の操作により、前記沸上モード時における強弱（例えば強力沸上モード、通常沸上モード、等）や、前記冷房モード又は暖房モード時におけるエアコン運転モード（例えば強力モード、通常モード、節電モード等）やエアコン設定温度Ｔｃｏｎ等も指示することができる。これらのリモコン６０からの指示内容は、エアコンユニット２００に設けられた前記エアコン制御部４３０に入力され、さらに適宜、ヒートポンプユニット３００に設けられた前記ヒーポン制御部４１０や貯湯ユニット１００に設けられた前記貯湯制御部４２０へも入力される（エアコン制御部４３０を介し受信しても良いし、リモコン６０から直接受信してもよい）。
【００５０】
次に、前記ヒートポンプユニット３００に備えられた前記ヒーポン制御部４１０について説明する。ヒーポン制御部４１０は、詳細な図示を省略するが、各種のデータやプログラムを記憶する記憶部と、演算・制御処理を行う制御部とを備えている。このヒーポン制御部４１０の機能的構成を図３により説明する。
【００５１】
図３に示すように、前記ヒーポン制御部４１０は、四方弁制御部４１０Ａと、圧縮機制御部４１０Ｂと、膨張弁制御部４１０Ｃと、室外ファン制御部４１０Ｄと、モード設定部４１０Ｅとを機能的に備えている。
【００５２】
モード設定部４１０Ｅには、前記リモコン６０により指示された、いずれの運転を行うかの運転指示（沸上モード、冷房モード、暖房モード）と、前記貯湯温度センサ１２により検出された前記貯湯温度と、前記室内温度センサ３４により検出された前記室内温度Ｔｒと、前記リモコン６０により設定された前記エアコン設定温度Ｔｃｏｎとが入力される。モード設定部４１０Ｅは、前記運転指示と、前記貯湯温度に対応した前記湯水の加熱状況（貯湯状況）と、前記室内温度Ｔｒと、前記エアコン設定温度Ｔｃｏｎとに応じて、実際にヒートポンプ給湯機１をどのような運転モード（沸上モード、冷房モード、沸上・冷房モード、暖房モード、沸上・暖房モード）で運転するかを決定する（冷房モード及び沸上・冷房モードの決定の詳細については後述）。そして、モード設定部４１０Ｅは、その決定結果に対応する運転情報を、前記四方弁制御部４１０Ａ、前記圧縮機制御部４１０Ｂ、膨張弁制御部４１０Ｃ、室外ファン制御部４１０Ｄ、及び、貯湯制御部４２０、エアコン制御部４３０に出力する。
【００５３】
四方弁制御部４１０Ａには、モード設定部４１０Ｅから、（沸上モード、冷房モード、沸上・冷房モード、暖房モード、及び沸上・暖房モードのいずれの運転が行われるかを表す）前記運転情報が入力される。そして、四方弁制御部４１０Ａは、前記運転情報が表す運転態様に対応する開閉信号を四方弁３１へ出力し、四方弁３１を切り替える（詳細な制御内容は後述）。
【００５４】
圧縮機制御部４１０Ｂには、前記外気温度センサ２２により検出された前記外気温度Ｔａｉｒと、前記室内温度センサ３４により検出された前記室内温度Ｔｒと、前記リモコン６０により設定された前記エアコン設定温度Ｔｃｏｎ及び前記沸上モードとが入力される（直接入力される場合のほか、前記の間接的な入力も含む。以下同様）。圧縮機制御部４１０Ｂは、前記のようにしてモード設定部４１０Ｅから入力される前記運転情報に応じて、入力された前記の温度及び設定のうち少なくとも１つに基づき、前記圧縮機１４の回転数を制御する（詳細な制御内容は後述）。なおこのときの圧縮機１４の回転数（制御値）は、後述の貯湯制御部４２０の膨張弁制御部４２０Ｂにも出力される（図示省略）。
【００５５】
膨張弁制御部４１０Ｃには、前記吐出温度センサ２０により検出された前記冷媒吐出温度Ｔｏｕｔと、前記流出温度センサ２１により検出された前記冷媒流出温度Ｔ２と、前記吸入温度センサ３２により検出された前記冷媒吸入温度Ｔｉｎと、前記熱交温度センサ３５により検出された前記ヒーポン熱交温度Ｔｅｘとが入力される。膨張弁制御部４１０Ｃは、前記モード設定部４１０Ｅからの前記運転情報に応じて、前記の入力された温度のうち少なくとも１つに基づき、前記膨張弁１１３の開度を制御する（詳細な制御内容は後述）。
【００５６】
室外ファン制御部４１０Ｄには、前記外気温度センサ２２により検出された前記外気温度Ｔａｉｒと、前記リモコン６０により設定された前記エアコン運転モードとが入力される。室外ファン制御部４１０Ｄは、前記モード設定部４１０Ｅからの前記運転情報に対応しつつ、前記外気温度Ｔａｉｒ及び前記運転モードに応じて、前記室外ファン６７の回転数を制御する（詳細な制御内容は後述）。
【００５７】
なお、前記モード設定部４１０Ｅは、貯湯制御部４２０やエアコン制御部４３０に設けても良い。この場合は、それら貯湯制御部４２０やエアコン制御部４３０に備えられたモード設定部４１０Ｅから、決定された運転態様に対応した前記運転情報がヒーポン制御部４１０に入力され、その入力された運転情報に応じて四方弁制御部４１０Ａ、圧縮機制御部４１０Ｂ、膨張弁制御部４１０Ｃ、室外ファン制御部４１０Ｄが各種制御を行う。
【００５８】
次に、前記貯湯ユニット１００に備えられた前記貯湯制御部４２０について説明する。貯湯制御部４２０は、前記ヒーポン制御部４１０同様、記憶部と制御部とを備えており、その機能的構成を図４により説明する。
【００５９】
図４に示すように、前記貯湯制御部４２０は、ポンプ制御部４２０Ａと、膨張弁制御部４２０Ｂと、二方弁制御部４２０Ｃとを機能的に備えている。
【００６０】
ポンプ制御部４２０Ａには、前記ヒーポン制御部４１０（詳細には前記モード設定部４１０Ｅ）からの前記運転情報と、前記沸上温度センサ２４により検出された前記沸上温度Ｔｂとが入力される。ポンプ制御部４２０Ａは、前記のようにしてヒーポン制御部４１０から入力される（沸上モード、冷房モード、沸上・冷房モード、暖房モード、及び沸上・暖房モードのいずれの運転が行われるかを表す）前記運転情報に応じて、入力された前記沸上温度Ｔｂに基づき、前記沸上ポンプ１９の回転数を制御する（詳細な制御内容は後述）。
【００６１】
膨張弁制御部４２０Ｂには、前記ヒーポン制御部４１０（詳細には前記モード設定部４１０Ｅ）からの前記運転情報と、前記外気温度センサ２２により検出された前記外気温度Ｔａｉｒと、前記リモコン６０により設定された前記エアコン運転モードと、前記ヒーポン制御部４１０の前記圧縮機制御部４１０Ｂから入力された前記圧縮機１４の回転数（制御値。但し公知の手法で検出された実際の圧縮機１４の回転数を入力しても良い）と、前記流出温度センサ２１により検出された前記冷媒流出温度Ｔ２と、前記吸入温度センサ３２により検出された前記冷媒吸入温度Ｔｉｎと、前記吐出温度センサ２０により検出された前記冷媒吐出温度Ｔｏｕｔとが入力される。膨張弁制御部４２０Ｂは、前記ヒーポン制御部４１０からの前記運転情報に応じて、前記の入力された温度やモード設定や回転数のうち少なくとも１つに基づき、前記膨張弁１１１，１１２の開度を制御する（詳細な制御内容は後述）。
【００６２】
二方弁制御部４２０Ｃには、前記ヒーポン制御部４１０（詳細には前記モード設定部４１０Ｅ）からの前記運転情報が入力される。二方弁制御部４２０Ｃは、前記運転情報に基づき、前記二方弁１２１，１２２，１２３，１２４の開閉動作を制御する（詳細な制御内容は後述）。
【００６３】
なお、前記と同様、運転態様の決定を、貯湯制御部４２０内（例えば前記二方弁制御部４２０Ｃ）やエアコン制御部４３０に設けた前記モード設定部４１０Ｅで行っても良い。この場合は、それら二方弁制御部４２０Ｃやエアコン制御部４３０で決定した運転態様に対応する運転情報に応じて、ポンプ制御部４２０Ａ、膨張弁制御部４２０Ｂ、二方弁制御部４２０Ｃが各種制御を行う。
【００６４】
次に、前記エアコンユニット２００に備えられた前記エアコン制御部４３０について説明する。エアコン制御部４３０は、前記ヒーポン制御部４１０及び貯湯制御部４２０同様、記憶部と制御部とを備えており、その機能的構成を図５により説明する。
【００６５】
図５に示すように、前記エアコン制御部４３０は、室内ファン制御部４３０Ａを機能的に備えている。
【００６６】
室内ファン制御部４３０Ａには、前記ヒーポン制御部４１０（詳細には前記モード設定部４１０Ｅ）からの前記運転情報と、前記室内温度センサ３４により検出された前記室内温度Ｔｒと、前記リモコン６０により設定された前記エアコン設定温度Ｔｃｏｎとが入力される。室内ファン制御部４３０Ａは、前記ヒーポン制御部４１０からの前記運転情報に対応しつつ、前記室内温度Ｔｒ及びエアコン設定温度Ｔｃｏｎに応じて、前記室内ファン７７の回転数を制御する（詳細な制御内容は後述）。
【００６７】
なお、前記と同様、運転態様の決定を、エアコン制御部４３０内や貯湯制御部４２０に設けた前記モード設定部４１０Ｅで行っても良い。この場合は、それらエアコン制御部４３０や貯湯制御部４２０で決定した運転態様に対応する運転情報に応じて、室内ファン制御部４３０Ａが前記制御を行う。
【００６８】
前記したように、本実施形態のヒートポンプ給湯機１は、沸上モード、冷房モード、暖房モード、沸上・冷房モード、沸上・暖房モードの５種類の運転モードを選択的に実行することができる。以下、各モードの詳細を順次説明する。
【００６９】
まず、図６を用いて、沸上モードについて説明する。この図６に示す沸上モードによる運転時においては、前記四方弁制御部４１０Ａにより、前記四方弁３１は、前記配管部１８ａを前記配管部１８ｂに連通させると共に前記配管部１８ｃを前記配管部１８ｄに連通させる位置（前記した暖房側）に切り替えられる。また前記二方弁制御部４２０Ｃにより、二方弁１２１が開き状態、二方弁１２２が閉じ状態、二方弁１２３が開き状態、二方弁１２４が閉じ状態に切り替えられる。さらに前記膨張弁制御部４２０Ｂにより前記膨張弁１１１が全開状態かつ前記膨張弁１１２が全閉状態に制御され、前記膨張弁制御部４１０Ｃにより前記膨張弁１１３が開き状態（詳細には後述の△Ｈ制御が行われている）に制御される。
【００７０】
この結果、圧縮機１４の吐出側の配管部１８ａ→配管部１８ｂ→連通管路１０１→配管部２５ａ→配管部２５ｂ→水冷媒熱交換器１５の冷媒側の流路１５ｂ→配管部２５ｃ（膨張弁１１１）→配管部２５ｅ→連通管路１０２→配管部１８ｅ（膨張弁１１３）→室外熱交換器１７→配管部１８ｄ→圧縮機１４の吸入側の配管部１８ｃの冷媒経路が形成される。これにより、低温・低圧で吸入されたガス状態の冷媒が前記圧縮機１４で圧縮されて高温・高圧のガスとなった後、凝縮器として機能する水冷媒熱交換器１５の前記冷媒側の流路１５ｂにおいて前記水側の流路１５ａを流れる水と熱交換を行って前記水に熱を放出し加熱しながら高圧の液体に変化する。こうして液体となった冷媒は全開状態の前記膨張弁１１１を経て前記膨張弁１１３において減圧されて低温・低圧の液体となって蒸発しやすい状態となり、蒸発器として機能する前記室外熱交換器１７において外気と熱交換を行って蒸発してガスに変化することで吸熱し、低温・低圧のガスとして再び圧縮機１４へと戻る。このとき、貯湯タンク２下部に接続された前記加熱往き管５から取り出された低温水（未加熱水）が、水冷媒熱交換器１５の前記水側の流路１５ａにおいて前記凝縮する冷媒から受熱して高温まで加熱された後、貯湯タンク２上部に接続された加熱戻り管６から貯湯タンク２内に戻されることで、貯湯タンク２内に順次高温水（加熱水）が積層状に貯湯される。
【００７１】
以上の作動において、前記圧縮機１４の回転数は、前記圧縮機制御部４１０Ｂの制御により、外気温度Ｔａｉｒに基づき決定される。すなわち、外気温度Ｔａｉｒが低い場合は圧縮機回転数が大きくなるように制御され、外気温度Ｔａｉｒが高い場合は圧縮機回転数が小さくなるように制御される。また前記室外ファン６７の回転数は、前記室外ファン制御部４１０Ｄの制御により、外気温度Ｔａｉｒに基づき決定される。すなわち、外気温度Ｔａｉｒが低い場合はファン回転数が大きくなるように制御され、外気温度Ｔａｉｒが高い場合はファン回転数が小さくなるように制御される。
【００７２】
また沸上ポンプ１９の回転数は、前記ポンプ制御部４２０Ａの制御により、前記沸上温度Ｔｂが所定の目標温度となるように、フィードバック制御される。すなわち、沸上温度Ｔｂが目標温度より低い場合はポンプ回転数が小さくなる（流量が低下する）ように制御され、沸上温度Ｔｂが目標温度より高い場合はポンプ回転数が大きくなる（流量が増大する）ように制御される。なお、室内ファン７７は、前記室内ファン制御部４３０Ａの制御により回転停止される。
【００７３】
そして、前記膨張弁１１３の開度は、前記膨張弁制御部４１０Ｃにより、運転状態に応じて可変に制御される。詳細には、前記冷媒吐出温度Ｔｏｕｔと前記冷媒流出温度Ｔ２との温度差△Ｈ＝Ｔｏｕｔ−Ｔ２が、所定の目標温度差△Ｈｍとなるように、膨張弁１１３の開度を所定の周期でフィードバック制御する（△Ｈ制御）。すなわち、前記膨張弁制御部４１０Ｃは、△Ｈ＜△Ｈｍの場合は膨張弁１１３の開度を閉じる方向に制御し、△Ｈ＞△Ｈｍの場合は、膨張弁１１３の開度を開く方向に制御し、△Ｈ＝△Ｈｍの場合は、膨張弁１１３の開度を現状のまま維持する。あるいは、この△Ｈ制御に代え、前記冷媒吐出温度Ｔｏｕｔが所定の一定値となるように、膨張弁１１３の開度をフィードバック制御してもよい（吐出制御）。この場合、前記膨張弁制御部４１０Ｃは、冷媒吐出温度Ｔｏｕｔが低すぎる場合は膨張弁１１３の開度を閉じる方向に制御し、冷媒吐出温度Ｔｏｕｔが高すぎる場合は膨張弁１１３の開度を開く方向に制御する。
【００７４】
次に、図７を用いて、暖房モードについて説明する。この図７に示す暖房モードによる運転時においては、前記四方弁制御部４１０Ａにより、前記沸上モードと同様、前記四方弁３１は、前記暖房側に切り替えられる。また前記二方弁制御部４２０Ｃにより、二方弁１２１が閉じ状態、二方弁１２２が開き状態、二方弁１２３が開き状態、二方弁１２４が閉じ状態に切り替えられる。さらに前記膨張弁制御部４２０Ｂにより前記膨張弁１１１が全閉状態かつ前記膨張弁１１２が全開状態に制御され、前記膨張弁制御部４１０Ｃにより前記膨張弁１１３が開き状態（詳細には後述のＳＨ制御が行われている）に制御される。
【００７５】
この結果、圧縮機１４の吐出側の配管部１８ａ→配管部１８ｂ→連通管路１０１→配管部２５ａ→配管部２５ｄ→連通管路１０４→配管部２６ａ→室内熱交換器２７→配管部２６ｂ→連通管路１０３→配管部２５ｇ（膨張弁１１２）→配管部２５ｅ→連通管路１０２→配管部１８ｅ（膨張弁１１３）→室外熱交換器１７→配管部１８ｄ→圧縮機１４の吸入側の配管部１８ｃの冷媒経路が形成される。これにより、低温・低圧で吸入されたガス状態の冷媒が前記圧縮機１４で圧縮されて高温・高圧のガスとなった後、凝縮器として機能する室内熱交換器２７において室内空気と熱交換を行って熱を放出し空調対象空間を加熱しながら高圧の液体に変化する。こうして液体となった冷媒は全開状態の前記膨張弁１１２を経て前記膨張弁１１３において減圧されて低温・低圧の液体となって蒸発しやすい状態となり、蒸発器として機能する前記室外熱交換器１７において外気と熱交換を行って蒸発してガスに変化することで吸熱し、低温・低圧のガスとして再び圧縮機１４へと戻る。
【００７６】
以上の作動において、前記圧縮機１４の回転数は、前記圧縮機制御部４１０Ｂの制御により、室内温度Ｔｒとエアコン設定温度Ｔｃｏｎとの差に基づき決定される。すなわち、Ｔｃｏｎ−Ｔｒの値が大きい場合は圧縮機回転数が大きくなるように制御され、Ｔｃｏｎ−Ｔｒの値が小さい場合は圧縮機回転数が小さくなるように制御される。また前記室外ファン６７の回転数は、前記室外ファン制御部４１０Ｄの制御により、外気温度Ｔａｉｒとエアコン運転モードに基づき決定される。すなわち、複数用意されたエアコン運転モード（例えば強力モード、通常モード、節電モード等）のそれぞれにおいて、外気温度Ｔａｉｒが低い場合はファン回転数が大きくなるように制御され、外気温度Ｔａｉｒが高い場合はファン回転数が小さくなるように制御される。
【００７７】
また前記室内ファン７７の回転数は、前記室内ファン制御部４３０Ａの制御により、室内温度Ｔｒとエアコン設定温度Ｔｃｏｎとの差に基づき決定される。すなわち、Ｔｃｏｎ−Ｔｒの値が大きい場合はファン回転数が大きくなるように制御され、Ｔｃｏｎ−Ｔｒの値が小さい場合はファン回転数が小さくなるように制御される。なお、沸上ポンプ１９は、前記ポンプ制御部４２０Ａの制御により回転停止される。
【００７８】
そして、前記膨張弁１１３の開度は、前記膨張弁制御部４１０Ｃにより、運転状態に応じて可変に制御される。詳細には、前記冷媒吸入温度Ｔｉｎと前記ヒーポン熱交温度Ｔｅｘとの温度差Ｔｉｎ−Ｔｅｘが所定の一定値となるように、膨張弁１１３の開度をフィードバック制御する（ＳＨ制御）。すなわち、前記膨張弁制御部４１０Ｃは、Ｔｉｎ−Ｔｅｘが小さすぎる場合は膨張弁１１３の開度を閉じる方向に制御し、Ｔｉｎ−Ｔｅｘが大きすぎる場合は膨張弁１１３の開度を開く方向に制御する。
【００７９】
次に、図８を用いて、沸上・暖房モードについて説明する。この図８に示す沸上・暖房モードによる運転時においても、前記四方弁制御部４１０Ａにより、前記四方弁３１は、前記暖房側に切り替えられる。また前記二方弁制御部４２０Ｃにより、二方弁１２１が開き状態、二方弁１２２が開き状態、二方弁１２３が開き状態、二方弁１２４が閉じ状態に切り替えられる。さらに前記膨張弁制御部４２０Ｂにより前記膨張弁１１１が全開状態かつ前記膨張弁１１２も全開状態に制御され、前記膨張弁制御部４１０Ｃにより前記膨張弁１１３が開き状態（詳細には後述の吐出制御が行われている）に制御される。
【００８０】
この結果、冷媒経路は、圧縮機１４の吐出側の配管部１８ａ→配管部１８ｂ→連通管路１０１→配管部２５ａを経て２つに分かれ、一方は、配管部２５ｂ→水冷媒熱交換器１５の冷媒側の流路１５ｂ→配管部２５ｃ（膨張弁１１１）を経て配管部２５ｅに至り、他方は、配管部２５ｄ→連通管路１０４→配管部２６ａ→室内熱交換器２７→配管部２６ｂ→連通管路１０３→配管部２５ｇ（膨張弁１１２）を経て前記配管部２５ｅへと合流する。その後の経路は、配管部２５ｅ→連通管路１０２→配管部１８ｅ（膨張弁１１３）→室外熱交換器１７→配管部１８ｄ→圧縮機１４の吸入側の配管部１８ｃとなる。
【００８１】
これにより、低温・低圧で吸入されたガス状態の冷媒が前記圧縮機１４で圧縮されて高温・高圧のガスとなった後に前記のように分流し、前記一方の流れは前記水冷媒熱交換器１５（凝縮器として機能）で前記同様に凝縮して前記水側の流路１５ａを流れる水を加熱することで貯湯タンク２内へ順次高温水（加熱水）を供給し、前記他方の流れは室内熱交換器２７（凝縮器として機能）において前記同様に凝縮して室内空気に熱を放出することで空調対象空間を加熱する。前記の熱交換器１５，２７での凝縮で高圧の液体に変化した冷媒は前記膨張弁１１３において減圧されて低温・低圧の液体となった後前記室外熱交換器１７（蒸発器として機能）において蒸発して外気から吸熱し、低温・低圧のガスとして再び圧縮機１４へと戻る。
【００８２】
以上の作動において、前記圧縮機１４の回転数は、前記圧縮機制御部４１０Ｂの制御により、前記暖房モード時と同様の、室内温度Ｔｒとエアコン設定温度Ｔｃｏｎとの差に基づく決定と、前記沸上モード時と同様の、外気温度Ｔａｉｒに基づく決定とが加味される（詳細は省略）。また前記室外ファン６７は、前記室外ファン制御部４１０Ｄの制御により、前記暖房モード時と同様、外気温度Ｔａｉｒとエアコン運転モードに基づき、各エアコン運転モードにおいて、外気温度Ｔａｉｒが低い場合はファン回転数が大きくなるように、外気温度Ｔａｉｒが高い場合はファン回転数が小さくなるように制御される。
【００８３】
また沸上ポンプ１９の回転数は、前記ポンプ制御部４２０Ａの制御により、前記沸上モードと同様、前記沸上温度Ｔｂが目標温度より低い場合はポンプ回転数が小さくなり、沸上温度Ｔｂが目標温度より高い場合はポンプ回転数が大きくなるように制御される。また前記室内ファン７７は、前記室内ファン制御部４３０Ａの制御により、前記暖房モード時と同様、室内温度Ｔｒとエアコン設定温度Ｔｃｏｎとの差に基づき、Ｔｃｏｎ−Ｔｒの値が大きい場合はファン回転数が大きくなるように、Ｔｃｏｎ−Ｔｒの値が小さい場合はファン回転数が小さくなるように制御される。
【００８４】
そして、前記膨張弁１１３の開度は、前記膨張弁制御部４１０Ｃにより、運転状態に応じて可変に制御される。詳細には、前記冷媒吐出温度Ｔｏｕｔが所定の一定値となるように膨張弁１１３の開度がフィードバック制御（吐出制御）され、冷媒吐出温度Ｔｏｕｔが低すぎる場合は膨張弁１１３の開度を閉じる方向に、冷媒吐出温度Ｔｏｕｔが高すぎる場合は膨張弁１１３の開度を開く方向に制御する。
【００８５】
次に、図９を用いて、冷房モードについて説明する。この図９に示す冷房モードによる運転時においては、前記四方弁制御部４１０Ａにより、前記四方弁３１は、前記配管部１８ａを前記配管部１８ｄに連通させると共に前記配管部１８ｃを前記配管部１８ｂに連通させる位置（前記暖房側とは異なる冷房側）に切り替えられる。また前記二方弁制御部４２０Ｃにより、前記暖房モード時と同様、二方弁１２１が閉じ状態、二方弁１２２が開き状態、二方弁１２３が開き状態、二方弁１２４が閉じ状態に切り替えられる。さらに前記膨張弁制御部４２０Ｂにより前記膨張弁１１１が全閉状態に制御されかつ前記膨張弁１１２が開き状態（詳細には後述のフィードフォワード制御が行われている）に制御され、前記膨張弁制御部４１０Ｃにより前記膨張弁１１３が全開状態に制御される。
【００８６】
この結果、圧縮機１４の吐出側の配管部１８ａ→配管部１８ｄ→室外熱交換器１７→配管部１８ｅ（膨張弁１１３）→連通管路１０２→配管部２５ｅ→配管部２５ｇ（膨張弁１１２）→連通管路１０３→配管部２６ｂ→室内熱交換器２７→配管部２６ａ→連通管路１０４→配管部２５ｄ→配管部２５ａ→連通管路１０１→配管部１８ｂ→圧縮機１４の吸入側の配管部１８ｃの冷媒経路が形成される。これにより、低温・低圧で吸入されたガス状態の冷媒が前記圧縮機１４で圧縮されて高温・高圧のガスとなった後、室外ファン６７の回転駆動とともに凝縮器として機能する前記室外熱交換器１７において外気と熱交換を行って熱を放出しながら高圧の液体に変化する。こうして液体となった冷媒は全開状態の前記膨張弁１１３を経て前記膨張弁１１２において減圧されて低温・低圧の液体となって蒸発しやすい状態となり、室内ファン７７の回転駆動とともに蒸発器として機能する前記室内熱交換器２７において室内空気から吸熱して蒸発しガスに変化することで空調対象空間を冷却し、低温・低圧のガスとして再び圧縮機１４へと戻る。
【００８７】
以上の作動において、前記暖房モード時と同様、前記圧縮機１４の回転数は、前記圧縮機制御部４１０Ｂの制御により、前記Ｔｃｏｎ−Ｔｒの値が大きい場合は圧縮機回転数が大きくなるように、前記Ｔｃｏｎ−Ｔｒの値が小さい場合は圧縮機回転数が小さくなるように制御される。また前記室外ファン６７は、前記室外ファン制御部４１０Ｄの制御により、エアコン運転モードが例えば強力モードの場合はファン回転数が大きくなるように制御され、通常モードや節電モードの場合はファン回転数が小さくなるように制御される。さらに各エアコン運転モードにおいて、外気温度Ｔａｉｒが低い場合はファン回転数が小さくなるように、外気温度Ｔａｉｒが高い場合はファン回転数が大きくなるように制御される。また前記室内ファン７７は、前記室内ファン制御部４３０Ａの制御により、前記Ｔｃｏｎ−Ｔｒの値が大きい場合はファン回転数が大きくなるように、前記Ｔｃｏｎ−Ｔｒの値が小さい場合はファン回転数が小さくなるように制御される。沸上ポンプ１９は、前記ポンプ制御部４２０Ａの制御により回転停止される。
【００８８】
そして、前記膨張弁１１２の開度は、前記膨張弁制御部４２０Ｂにより、運転状態に応じて可変に制御される。すなわち、前記外気温度Ｔａｉｒ及び前記エアコン運転モードと、圧縮機１４の回転数とに基づき決定される。すなわち、前記膨張弁制御部４２０Ｂは、前記複数のエアコン運転モード（例えば強力モード、通常モード、節電モード等）のそれぞれにおいて、前記外気温度Ｔａｉｒの高低と、前記圧縮機制御部４１０Ｂからの圧縮機回転数の高低とを加味して、膨張弁１１２の開度をフィードフォワード制御する（詳細は省略）。
【００８９】
次に、図１０を用いて、沸上・冷房モードについて説明する。この図１０に示す沸上・冷房モードによる運転時においては、前記四方弁制御部４１０Ａにより、前記四方弁３１は、（前記冷房側ではなく）前記暖房側に切り替えられる。また前記二方弁制御部４２０Ｃにより、二方弁１２１が開き状態、二方弁１２２が閉じ状態、二方弁１２３が閉じ状態、二方弁１２４が開き状態に切り替えられる。さらに前記膨張弁制御部４２０Ｂにより前記膨張弁１１１が全開状態に制御されるとともに前記膨張弁１１２が開き状態（詳細には後述の△Ｈ制御が行われている）に制御され、前記膨張弁制御部４１０Ｃにより前記膨張弁１１３が全開状態に制御される。
【００９０】
この結果、冷媒経路は、圧縮機１４の吐出側の配管部１８ａ→配管部１８ｂ→連通管路１０１→配管部２５ａ→配管部２５ｂ→水冷媒熱交換器１５の冷媒側の流路１５ｂ→配管部２５ｃ（膨張弁１１１）→配管部２５ｇ（膨張弁１１２）→連通管路１０３→配管部２６ｂ→室内熱交換器２７→配管部２６ａ→連通管路１０４→配管部２５ｄ→配管部２５ｆ→配管部２５ｅ→連通管路１０２→配管部１８ｅ（膨張弁１１３）→室外熱交換器１７→配管部１８ｄ→圧縮機１４の吸入側の配管部１８ｃとなる。
【００９１】
これにより、低温・低圧で吸入されたガス状態の冷媒が前記圧縮機１４で圧縮されて高温・高圧のガスとなった後、まず前記水冷媒熱交換器１５（凝縮器として機能）で前記同様に凝縮して前記水側の流路１５ａを流れる水を加熱することで貯湯タンク２内へ順次高温水（加熱水）を供給し、液体となった冷媒は全開状態の前記膨張弁１１１を経て前記膨張弁１１２において減圧されて低温・低圧の液体となって蒸発しやすい状態となり、室内ファン７７の回転駆動とともに蒸発器として機能する前記室内熱交換器２７において室内空気から吸熱して蒸発しガスに変化することで空調対象空間を冷却し、さらに前記膨張弁１１３を経て、室外ファン６７の回転駆動とともに蒸発器として機能する前記室外熱交換器１７において外気と熱交換を行って蒸発してガスに変化することで吸熱し、低温・低圧のガスとして再び圧縮機１４へと戻る。
【００９２】
以上の作動において、前記圧縮機１４の回転数は、前記圧縮機制御部４１０Ｂの制御により、前記冷房モード時と同様の、室内温度Ｔｒとエアコン設定温度Ｔｃｏｎとの差に基づき決定される。また前記室外ファン６７の回転数は、前記室外ファン制御部４１０Ｄの制御により、前記冷房運転時と同様、各エアコン運転モードにおいて外気温度Ｔａｉｒが低い場合はファン回転数が大きくなるように、外気温度Ｔａｉｒが高い場合はファン回転数が小さくなるように制御されるが、適宜の手法によって冷房運転時よりは低回転数に制御される。
【００９３】
また沸上ポンプ１９の回転数は、前記ポンプ制御部４２０Ａの制御により、前記沸上モードや沸上・暖房モードと同様、前記沸上温度Ｔｂが目標温度より低い場合はポンプ回転数が小さくなり、沸上温度Ｔｂが目標温度より高い場合はポンプ回転数が大きくなるように制御される。また前記室内ファン７７は、前記室内ファン制御部４３０Ａの制御により、前記冷房モード等のときと同様、室内温度Ｔｒとエアコン設定温度Ｔｃｏｎとの差に基づき、Ｔｃｏｎ−Ｔｒの値が大きい場合はファン回転数が大きくなるように、Ｔｃｏｎ−Ｔｒの値が小さい場合はファン回転数が小さくなるように制御される。
【００９４】
そして、前記膨張弁１１２の開度は、前記膨張弁制御部４２０Ｂにより、沸上・冷房モードの運転状態に応じて可変に制御される。詳細には、前記沸上モード時の膨張弁制御部４１０Ｃによる膨張弁１１３への制御と同様、前記冷媒吐出温度Ｔｏｕｔと前記冷媒流出温度Ｔ２との温度差△Ｈ＝Ｔｏｕｔ−Ｔ２が、所定の目標温度差△Ｈｍとなるように、膨張弁１１２の開度を所定の周期でフィードバック制御する（△Ｈ制御）。すなわち、前記膨張弁制御部４２０Ｂは、△Ｈ＜△Ｈｍの場合は膨張弁１１２の開度を閉じる方向に制御し、△Ｈ＞△Ｈｍの場合は、膨張弁１１２の開度を開く方向に制御し、△Ｈ＝△Ｈｍの場合は、膨張弁１１２の開度を現状のまま維持する。あるいは、この△Ｈ制御に代え、前記冷媒吐出温度Ｔｏｕｔが所定の一定値となるように、膨張弁１１２の開度をフィードバック制御してもよい（吐出制御）。この場合、前記膨張弁制御部４２０Ｂは、冷媒吐出温度Ｔｏｕｔが低すぎる場合は膨張弁１１２の開度を閉じる方向に制御し、冷媒吐出温度Ｔｏｕｔが高すぎる場合は膨張弁１１２の開度を開く方向に制御する。
【００９５】
以上のように、本実施形態のヒートポンプ給湯機１によれば、冷房モードでの運転と、沸上・冷房モードでの運転が選択的に実行可能である。前記したように、冷房モードでの運転時には、室内熱交換器２７において冷媒が蒸発することで室内空気から熱を回収して冷却し、その回収した排熱が室外熱交換器１７において外気へ排出される。また沸上・冷房モードでの運転時には、室内熱交換器２７において冷媒が蒸発することで室内空気から熱を回収して冷却し、その回収した排熱が水冷媒熱交換器１５の前記冷媒側の流路１５ｂに導かれて前記冷媒側の流路１５ａの水へ放熱することにより、貯湯タンク２への水が加熱される。
【００９６】
ここで、前記したようなユーザのリモコン６０の操作により前記冷房モードによる運転が指示されたときであっても、例えば貯湯タンク２内に未加熱水が多くある場合などは、前記冷房モードの運転によって単に前記排熱を外気へ無駄に放出するよりも、前記沸上・冷房モードの運転として前記排熱を貯湯タンク２の水の加熱に使用したほうが有意義である。
【００９７】
そこで、本実施形態のヒートポンプ給湯機１では前記モード設定部４１０Ｅが設けられ、このモード設定部４１０Ｅが、前記冷房モードでのヒートポンプ給湯機１の起動の際に、前記貯湯タンク２内の貯湯状況に応じて（具体的には貯湯量が後述のしきい値以上であるか否かに応じて）、前記冷房モードのままとするか、あるいは、前記冷房モードから前記沸上・冷房モードに切り替えるか、を決定する（詳細は後述）。
【００９８】
また、前記のようにして沸上・冷房モードに切り替わった後は予め定められた所定量までの沸上が行われるが、通常、前記所定量は貯湯タンク２内の全容量には設定されておらず、前記所定量の沸上が完了した時点であっても、貯湯タンク２内にある程度の未加熱水が残っている場合も多い。そこで、前記沸上・冷房モードでの運転がなされた後、前記沸上が完了した際に、前記貯湯タンク２内の貯湯状況に応じて（具体的には貯湯量が後述のしきい値以上であるか否かに応じて）、前記沸上・冷房モードのままとする（すなわちさらに沸上動作を続行する）か、あるいは、前記沸上・冷房モードから前記冷房モードに切り替えるか、を決定する（詳細は後述）。ここで、前記予め定められた所定量は、ユーザの一日の使用湯量の学習値に応じて適宜に設定される量である。
【００９９】
以上の手法を実現するために、前記モード設定部４１０Ｅが実行する制御手順を図１１のフローチャートにより説明する。図１１において、モード設定部４１０Ｅは、まずステップＳ５で、沸上・冷房モードへの設定を表すフラグＦを０に初期化する（すなわち冷房モードに設定する）。その後、ステップＳ１０に移る。
【０１００】
ステップＳ１０では、前記モード設定部４１０Ｅは、ヒートポンプ給湯機１が運転開始の準備状態（起動準備状態）となったか否かを判定する。具体的には、起動準備状態とは、例えば、停止状態から起動するために操作者による適宜のヒートポンプ給湯機１の運転開始操作がなされた場合、若しくは、後述の待機状態から復帰してヒートポンプ給湯機１の運転が再び開始（起動）されようとしている場合（詳細は後述）、である。運転開始状態となるまではステップＳ１０の判定が満たされず（Ｓ１０：Ｎｏ）ループ待機し、運転開始状態となるとステップＳ１０の判定が満たされ（Ｓ１０：Ｙｅｓ）、ステップＳ１５に移る。
【０１０１】
ステップＳ１５では、前記モード設定部４１０Ｅは、前記フラグＦが１であるか否かを判定する。前記運転モードが冷房モードから沸上・冷房モードに切り替えられた（後述）後で、フラグＦ＝１となっている場合は判定が満たされ（Ｓ１５：Ｙｅｓ）、後述のステップＳ５０に移る。前記運転モードが冷房モードに設定されたまま（後述）で、フラグＦ＝０である場合は判定が満たされず（Ｓ１５：Ｎｏ）、ステップＳ２０に移る。
【０１０２】
ステップＳ２０では、前記モード設定部４１０Ｅは、前記貯湯温度センサ１２の検出結果に基づき、公知の手法で貯湯タンク２内の未加熱水の量を算出する。その後、ステップＳ２５に移る。
【０１０３】
ステップＳ２５では、モード設定部４１０Ｅは、前記ステップＳ２０で算出された未加熱水の量が、予め定めたしきい値（第１しきい値。この例では５０リットル）以上であるか否かを判定する。５０リットル未満であれば判定が満たされず（Ｓ２５：Ｎｏ）ステップＳ３０に移る。なお、前記ステップＳ２０における前記未加熱水の量の算出、及び、この算出結果に基づく前記ステップＳ２５の判定は、前記ステップＳ１０の直前（ステップＳ５とステップＳ１０との間、若しくは、ステップＳ４５からステップＳ１０に戻る場合はステップＳ４５とステップＳ１０との間）に実行するようにしても良い。
【０１０４】
ステップＳ３０では、モード設定部４１０Ｅは、前記運転モードを「冷房モード」に設定する。これにより、前記したように、この冷房モードに対応した前記運転情報が、モード設定部４１０Ｅから、前記四方弁制御部４１０Ａ、前記圧縮機制御部４１０Ｂ、膨張弁制御部４１０Ｃ、室外ファン制御部４１０Ｄ、及び、貯湯制御部４２０、エアコン制御部４３０に出力され、これによってヒートポンプ給湯機１が図９に示した冷房モードにより起動する。その後、後述のステップＳ４５に移る。
【０１０５】
一方、前記ステップＳ２５において、ステップＳ２５で算出された未加熱水の量が５０リットル以上であった場合は判定が満たされ（Ｓ２５：Ｙｅｓ）、ステップＳ３５に移る。ステップＳ３５では、モード設定部４１０Ｅは、前記運転モードを「沸上・冷房モード」に設定する。これにより、前記したように、この沸上・冷房モードに対応した前記運転情報が、モード設定部４１０Ｅから、前記四方弁制御部４１０Ａ、前記圧縮機制御部４１０Ｂ、膨張弁制御部４１０Ｃ、室外ファン制御部４１０Ｄ、及び、貯湯制御部４２０、エアコン制御部４３０に出力され、これによってヒートポンプ給湯機１が図１０に示した沸上・冷房モードにより起動する。なお、この時点で前記ヒートポンプ給湯機１が冷房モードにより運転されていた場合は、一旦運転停止がなされた後に、運転モードが冷房モードから沸上・冷房モードに切り替わった状態で再起動する。その後、ステップＳ４０に移る。
【０１０６】
ステップＳ４０では、モード設定部４１０Ｅは、前記フラグＦを、沸上・冷房モードであることを表す１にし、ステップＳ４５に移る。
【０１０７】
ステップＳ４５では、モード設定部４１０Ｅは、ヒートポンプ給湯機１が運転終了状態となったか否かを判定する。すなわち、上述のような制御の下で沸上・冷房モードでの運転を行って冷房負荷が小さくなると、ヒートポンプ給湯機１を動作させずとも、前記室内温度Ｔｒが前記エアコン設定温度Ｔｃｏｎ以下に達する場合がある。この場合は、公知の制御によりヒートポンプ給湯機１が停止され、待機状態となる（すなわち、いったんヒートポンプ給湯機１の運転が終了される）。ステップＳ４５では、モード設定部４１０Ｅは、ヒートポンプ給湯機１がこの待機状態となったか否かを判定するものである。なおこの待機状態では、前記四方弁制御部４１０Ａの制御により前記四方弁３１はヒートポンプ給湯機１の前記停止前の状態を維持し、前記二方弁制御部４２０Ｃの制御により前記二方弁１２１〜１２４もヒートポンプ給湯機１の前記停止前の状態を維持する。また、前記圧縮機制御部４１０Ｂの制御により前記圧縮機１４は停止し、前記室外ファン制御部４１０Ｄの制御により前記室外ファン６７も停止する。また、前記膨張弁制御部４１０Ｃの制御により前記膨張弁１１３は全開状態（＝停止開度）とされ、前記膨張弁制御部４２０Ｂの制御により前記膨張弁１１１，１１２も全開状態（＝停止開度）とされる。一方、前記室内ファン制御部４３０Ａの制御により前記室内ファン７７は（前記室内温度センサ３４の室内温度Ｔｒの検出のために）最小回転数にて回転する。運転終了状態（すなわち待機状態）となっていない間はステップＳ４５の判定が満たされず（Ｓ４５：Ｎｏ）、前記ステップＳ１５に戻り、同様の手順を繰り返す。ヒートポンプ給湯機１が運転終了状態（すなわち待機状態）となっていた場合はステップＳ４５の判定が満たされ（ステップＳ４５：ＹＥＳ）、ステップＳ１０に戻る。このときのステップＳ１０における前記運転開始状態となったか否かの判定は、前記待機状態が解除されたか否かの判定となる。すなわち、前記のようにして前記室内温度Ｔｒが前記エアコン設定温度Ｔｃｏｎ以下に達して待機状態となった後、再び、前記室内温度Ｔｒが前記エアコン設定温度Ｔｃｏｎ以上となると、公知の制御によりヒートポンプ給湯機１の運転が再び開始（起動）される。したがってこのときのステップＳ１０では、モード設定部４１０Ｅは、ヒートポンプ給湯機１がこのようにして待機状態から復帰して運転再開（再起動）されたか否かを判定するものである。なお、前記のような室内温度Ｔｒがエアコン設定温度Ｔｃｏｎ以下となってヒートポンプ給湯機１の運転が待機状態となった後に再び開始（起動）される場合と同様、前記ヒートポンプユニット３００室外熱交換器１７に着霜が生じてヒートポンプ給湯機１の運転が待機状態となった後に再び開始（起動）される場合についても適用するようにしても良い。
【０１０８】
一方、前記ステップＳ１５でフラグＦ＝１となっていた場合（すなわち一度前記ステップＳ３５において沸上・冷房モードに設定されていた場合）、前記したようにステップＳ１５の判定が満たされ（Ｓ１５：Ｙｅｓ）、ステップＳ５０に移る。ステップＳ５０では、モード設定部４１０Ｅは、前記貯湯温度センサ１２の検出結果に基づき、前記ステップＳ３５において沸上・冷房モードでの運転が開始された後に、予め（例えば貯湯タンク２の容量等に応じて）定められた所定量の沸上げが完了したか否かを判定する。前記所定量の沸上が完了するまでは判定が満たされず（Ｓ５０：Ｎｏ）ループ待機し、所定量の沸上が完了したら判定が満たされ（Ｓ５０：Ｙｅｓ）、ステップＳ５５に移る。
【０１０９】
ステップＳ５５では、前記ステップＳ２０と同様、前記モード設定部４１０Ｅは、前記貯湯温度センサ１２の検出結果に基づき貯湯タンク２内の未加熱水の量を算出する。その後、ステップＳ６０に移る。
【０１１０】
ステップＳ６０では、モード設定部４１０Ｅは、前記ステップＳ５５で算出された未加熱水の量が、予め定めたしきい値（第３しきい値。この例では５０リットル）以上であるか否かを判定する。５０リットル以上であれば判定が満たされ（Ｓ６０：Ｎｏ）、前記ステップＳ４５に移る。一方、５０リットル未満であれば判定が満たされず（Ｓ６０：Ｎｏ）、ステップＳ６５に移る。
【０１１１】
ステップＳ６５では、モード設定部４１０Ｅは、前記ステップＳ５５で算出された未加熱水の量が、予め定めたしきい値（第４しきい値。この例では前記５０リットルより小さい２５リットル）以上であるか否かを判定する。２５リットル未満であれば判定が満たされず（Ｓ６５：Ｎｏ）、ステップＳ７５に移る。なお、この判定の意義については後述する。
【０１１２】
ステップＳ７５では、モード設定部４１０Ｅは、前記ステップＳ３０と同様にして、（この時点では前記のように沸上・冷房モードとなっている）前記運転モードを、「冷房モード」に設定（再設定）する。これにより、前記したように、この冷房モードに対応した前記運転情報が、モード設定部４１０Ｅから、前記四方弁制御部４１０Ａ、前記圧縮機制御部４１０Ｂ、膨張弁制御部４１０Ｃ、室外ファン制御部４１０Ｄ、及び、貯湯制御部４２０、エアコン制御部４３０に出力される。すなわち、前記ステップＳ３５と同様、一旦運転停止がなされた後に、運転モードが沸上・冷房モードから冷房モード（図９参照）に切り替わった状態で再起動する。その後、ステップＳ８０に移る。
【０１１３】
ステップＳ８０では、モード設定部４１０Ｅは、前記フラグＦを、冷房モードであることを表す０に戻す。その後、前記ステップＳ４５に移る。
【０１１４】
一方、前記ステップＳ６５において、前記ステップＳ５５で算出された未加熱水の量が前記しきい値（２５リットル）以上であった場合には判定が満たされ（Ｓ６５：ＹＥＳ）、ステップＳ７０に移る。
【０１１５】
ステップＳ７０では、モード設定部４１０Ｅは、前記室内温度センサ３４により検出された室内温度Ｔｒと、前記リモコン６０によるエアコン設定温度Ｔｃｏｎとの温度差Ｔｒ−Ｔｃｏｎが、予め定めたしきい値（第５しきい値。この例では３℃）以上であるか否かを判定する。３℃以上であれば判定が満たされ（Ｓ７０：ＹＥＳ）、前記ステップＳ４５に移行する。３℃未満であれば判定が満たされず（Ｓ７０：ＮＯ）、前記ステップＳ７５に移行する。なお、この判定の意義については後述する。
【０１１６】
なお、図示を省略しているが、以上の各手順における任意のタイミングで、操作者による適宜のヒートポンプ給湯機１の運転終了操作がなされた場合には、このフローは終了され、ヒートポンプ給湯機１が停止する。
【０１１７】
以上の各手順において、前記のステップＳ２０及びステップＳ５５を実行するモード設定部４１０Ｅが未加熱水算出手段として機能し、ステップＳ２５、ステップＳ３０、ステップＳ３５、ステップＳ４０を実行するモード設定部４１０Ｅが第１モード決定手段として機能し、ステップＳ６０、ステップＳ６５、ステップＳ７０、ステップＳ７５、ステップＳ８０を実行するモード設定部４１０Ｅが第２モード決定手段として機能する。このとき、前記したようにステップＳ３０、ステップＳ３５、ステップＳ７５における各モード設定によりヒートポンプ給湯機１が起動することから、これらステップＳ３０、ステップＳ３５、ステップＳ７５を実行するモード設定部４１０Ｅは起動手段としても機能する。
【０１１８】
以上説明したように、本実施形態のヒートポンプ給湯機１によれば、冷房モードでのヒートポンプ給湯機１の起動の際に、前記貯湯タンク２内の貯湯状況に応じて、前記冷房モードのままとするか、あるいは、前記冷房モードから前記沸上・冷房モードに切り替えるかを決定し、その決定されたモードによりヒートポンプ給湯機１が起動される（ステップＳ２５、ステップＳ３０、ステップＳ３５参照）。これにより、貯湯タンク２内に未加熱水が多くあった場合などにおいては、（例えば前記リモコン６０による操作者の指示が冷房モードであったとしても）前記沸上・冷房モードの運転として（ステップＳ３０参照）、前記排熱を貯湯タンク２の水の加熱に有効利用することができる。
【０１１９】
また、本実施形態では特に、貯湯タンク内２の未加熱水の量が算出されて（ステップＳ２０参照）、未加熱水の量の大小に応じて、前記モード決定が行われる。これにより、貯湯タンク内に未加熱水が比較的多くある場合（算出された未加熱水の量が多い場合）に、前記沸上・冷房モードの運転として、前記排熱を確実に有効利用することができる。
【０１２０】
また、例えば、前記沸上・冷房モードの運転時における沸上が終了して前記冷房モードに戻る場合、通常、前記圧縮機１４の動作を一旦停止させ、各種の弁の切り替えなどを行った後、圧縮機１４を再起動させる必要がある。このことを図１２により説明する。
【０１２１】
例えば図１２（ａ）に示すように、前記圧縮機１４は、前記モード切替の際には、前記沸上・冷房モードにおける前記圧縮機制御部４１０Ｂによる設定回転数で駆動している状態から、前記圧縮機制御部４１０Ｂの制御により、いったん停止される。その後、予め定められた適宜の停止時間（この例では、圧縮機再起動禁止時間としての３分）が経過したら、前記圧縮機１４は、前記圧縮機制御部４１０Ｂの制御により、比較的低く設定された所定の起動回転数で駆動開始した後、前記冷房モードにおける前記圧縮機制御部４１０Ｂによる設定回転数で駆動する。
【０１２２】
また、図１２（ｂ）に示すように、前記室外ファン６７は、前記モード切替の際には、前記沸上・冷房モードにおける前記室外ファン制御部４１０Ｄによる設定回転数で回転している状態から、前記室外ファン制御部４１０Ｄの制御により、いったん停止される。その後、前記停止時間（この例では３分）が経過したら、前記室外ファン６７は、前記室外ファン制御部４１０Ｄの制御により、比較的低く設定された所定の起動回転数で回転開始した後、前記冷房モードにおける前記室外ファン制御部４１０Ｄによる設定回転数で回転する。
【０１２３】
また、図１２（ｃ）に示すように、前記膨張弁１１３は、前記モード切替の際には、前記沸上・冷房モードにおける前記膨張弁制御部４１０Ｃの制御による全開状態から、いったん停止開度（略全開状態）とされる。その後、前記停止時間（この例では３分）が経過したら、前記膨張弁１１３は、前記冷房モードにおける前記膨張弁制御部４１０Ｃの制御により、再び全開状態とされる。
【０１２４】
また、図１２（ｄ）に示すように、前記膨張弁１１２は、前記モード切替の際には、前記沸上・冷房モードにおける前記膨張弁制御部４２０Ｂの△Ｈ制御による設定開度から、前記膨張弁制御部４２０Ｂの制御により、いったん停止開度（略全開状態）とされる。その後、前記停止時間（この例では３分）が経過したら、前記膨張弁１１２は、前記膨張弁制御部４２０Ｂの制御により、比較的大きく設定された所定の初期開度とされた後、前記冷房モードにおける前記膨張弁制御部４２０Ｂの前記ＦＦ制御による設定開度とされる。
【０１２５】
また、図１２（ｅ）に示すように、前記膨張弁１１１は、前記モード切替の際には、前記沸上・冷房モードにおける前記膨張弁制御部４２０Ｂの制御による全開状態から、いったん停止開度（略全開状態）とされる。その後、前記停止時間（この例では３分）が経過したら、前記膨張弁１１３は、前記冷房モードにおける前記膨張弁制御部４２０Ｂの制御により、全閉状態とされる。
【０１２６】
また、図１２（ｆ）に示すように、前記四方弁３１は、前記沸上・冷房モードにおいては、前記四方弁制御部４１０Ａの制御による前記暖房側への切替状態である。そして前記モード切替の際には、前記停止時間（この例では３分）の間、そのまま前記暖房側への切替状態が維持される。そして、前記停止時間が経過したら、前記四方弁３１は、前記四方弁制御部４２０Ｂの制御により、前記冷房モードのため、前記冷房側への切替状態へ切り替えられる。
【０１２７】
また、図１２（ｇ）に示すように、前記二方弁１２１，１２４は、前記沸上・冷房モードにおいては、前記二方弁制御部４２０Ｃの制御により開き状態に切り替えられている。そして前記モード切替の際には、前記停止時間（この例では３分）の間、そのまま前記開き状態が維持される。そして、前記停止時間が経過したら、前記二方弁１２１，１２４は、前記二方弁制御部４２０Ｃの制御により、前記冷房モードのため、前記閉じ状態へと切り替えられる。
【０１２８】
また、図１２（ｈ）に示すように、前記二方弁１２２，１２３は、前記沸上・冷房モードにおいては、前記二方弁制御部４２０Ｃの制御により閉じ状態に切り替えられている。そして前記モード切替の際には、前記停止時間（この例では３分）の間、そのまま前記閉じ状態が維持される。そして、前記停止時間が経過したら、前記二方弁１２２，１２３は、前記二方弁制御部４２０Ｃの制御により、前記冷房モードのため、前記開き状態へと切り替えられる。
【０１２９】
また、図１２（ｉ）に示すように、前記室内ファン７７は、前記モード切替の際には、前記沸上・冷房モードにおける前記室内ファン制御部４３０Ａによる設定回転数で回転している状態から、前記室内ファン制御部４３０Ａの制御により、いったん停止される。その後、前記停止時間（この例では３分）が経過したら、前記室内ファン７７は、前記室内ファン制御部４３０Ａの制御により、前記冷房モードにおける前記室内ファン制御部４３０Ａによる設定回転数で回転する。
【０１３０】
以上のように、前記沸上・冷房モードから前記冷房モードに戻る場合には、前記圧縮機１４の動作を停止させてファン６７，７７や膨張弁１１１〜１１３や四方弁３１や二方弁１２１〜１２４の切り替えを行った後、圧縮機１４を再起動させる必要がある。ここで、例えば前記のようにして算出された未加熱水の量が少なかった場合（後述の変形例において沸上時間が短かった場合も同様）には、沸上・冷房モードによって起動した後すぐに沸上が完了して前記圧縮機１４の停止時間を迎えてしまい、前記停止時間（前記の例では３分）の間に不用意な室温上昇を招き室内の快適性を阻害する恐れがある。
【０１３１】
本実施形態では特に、ステップＳ２５の判定に基づきモード決定が行われることで、貯湯タンク２内の未加熱水が比較的少ない場合には、前記沸上・冷房モードに切り替えず前記冷房モードのままの運転として（ステップＳ３０参照）、前記室温上昇を確実に防止することができる。また、前記したような非常に煩雑なファン６７，７７や膨張弁１１１〜１１３や四方弁３１や二方弁１２１〜１２４の切り替えがあまり意味もなく行われるのを防止することもできる。
【０１３２】
また、本実施形態では特に、未加熱水の量が前記第１しきい値（前記の例では５０リットル。ステップＳ２５参照）以上の場合に前記沸上・冷房モードの運転とすることで、前記排熱を確実に有効利用した沸上を実行することができ、未加熱水の量が前記第１しきい値未満の場合に前記冷房モードのままの運転とすることで、前記室温上昇を確実に防止できる。
【０１３３】
また、本実施形態では特に、前記沸上・冷房モードでの運転がなされた後、前記所定量の沸上が完了した際に、前記貯湯タンク２内の貯湯状況に応じて（具体的には貯湯量がしきい値以上であるか否かに応じて）、前記沸上・冷房モードのままとする（すなわちさらに沸上動作を続行する）か、あるいは、前記沸上・冷房モードから前記冷房モードに切り替えるかを決定する（ステップＳ５５、ステップＳ６０参照）。これにより、前記所定量の沸上が完了したときであっても貯湯タンク２内に未加熱水がまだ比較的多くある場合などにおいては、（前記のように冷房モードに戻すことなく）引き続き前記沸上・冷房モードの運転として、前記排熱を貯湯タンク２の水の加熱に有効利用することができる。
【０１３４】
また、本実施形態では特に、前記沸上・冷房モードでの運転がなされた後、前記所定量の沸上が完了した際に、前記貯湯タンク２内の未加熱水の量が算出される。そして未加熱水の量の大小に応じてモード決定が行われる（ステップＳ６０参照）。これにより、貯湯タンク２内に未加熱水が比較的多くある場合（算出された未加熱水の量が多い場合）に、前記沸上・冷房モードのままの運転として、前記排熱を確実に有効利用することができる。
また、貯湯タンク２内の未加熱水が比較的少ない場合（算出された未加熱水の量が少ない場合）には、前記沸上・冷房モードのまま運転しても短時間のうちに沸上完了してしまい冷房モードへの切り替えがいずれにしても必要になるとみて、早めのタイミングにて沸上・冷房モードから前記冷房モードに切り替えを実行可能となる（前記ステップＳ６５参照）。
【０１３５】
また、本実施形態では特に、算出された前記未加熱水の量が第３しきい値（前記の例では５０リットル。ステップＳ６０参照）  未満であったことを契機に、前記沸上・冷房モードから前記冷房モードに切り替え、算出された前記未加熱水の量が前記第３しきい値以上であれば、前記沸上・冷房モードのままとする。未加熱水の量が前記第３しきい値以上の場合に前記沸上・冷房モードのままの運転とすることで、前記排熱を確実に有効利用した沸上を実行することができ、未加熱水の量が前記第３しきい値未満の場合に（いずれ必要となる）前記冷房モードへの切り替えを確実に実行可能となる（ステップＳ７５参照）。
【０１３６】
前記図１２を用いて説明したように、モード切替の際には前記圧縮機１４の停止時間のために室温上昇を招く。特に室内空気の実際値（すなわち前記室内温度Ｔｒ）とユーザによる室内空気の設定温度（すなわち前記エアコン設定温度Ｔｃｏｎ）との温度差が大きい場合には余り冷えていない状態での冷却中断によって快適性を大きく阻害する恐れがある。そこで、本実施形態では特に、前記のように未加熱水の量が前記第３しきい値未満の場合であったとしてもそれより小さい適宜の第４しきい値（前記の例では２５リットル。ステップＳ６５参照）以上であって（これによって沸上完了までの沸上時間がある程度は確保されることとなる）、かつ前記温度差Ｔｒ−Ｔｃｏｎが所定の第５しきい値（前記の例では３℃。ステップＳ７０参照）以上である場合には、前記沸上・冷房モードのままの運転とすることで、前記快適性の低下を確実に防止することができる。
【０１３７】
なお、本発明は上記実施形態に限定されるものではなく、発明の要旨を変更しない範囲で種々の変更が可能である。
【０１３８】
例えば、上記実施形態では、図１１のステップＳ２０及びステップＳ５５で未加熱水の量を算出し、その算出された量と所定のしきい値（前記の第１しきい値、第３しきい値、第４しきい値、第５しきい値）との大小を用いて前記ステップＳ２５、ステップＳ６０、ステップＳ６５、ステップＳ７０におけるモード設定のための判定を行った。これに代えて、未加熱水を所定の沸上温度まで沸き上げるための時間を見積もり、その見積もられた時間を用いて前記の判定を行うようにしてもよい。
【０１３９】
そのような変形例における前記モード設定部４１０Ｅが実行する制御手順を、前記図１１に対応する図１３のフローチャートに示す。図１３と同等の部分には同一の符号を付し、適宜説明を省略又は簡略化する。図１３に示すように、このフローでは、前記図１１のステップＳ２０、ステップＳ２５、ステップＳ５５、ステップＳ６０、ステップＳ６５、ステップＳ７０に代えて、新たに、ステップＳ２０Ａ、ステップＳ２５Ａ、ステップＳ５５Ａ、ステップＳ６０Ａ、ステップＳ６５Ａ、ステップＳ７０Ａが設けられる。
【０１４０】
ステップＳ２０Ａでは、前記モード設定部４１０Ｅは、前記貯湯温度センサ１２の検出結果に基づき、公知の手法で貯湯タンク２内の未加熱水の量を算出し、その算出した量の未加熱水を、前記した所定の目標温度まで沸き上げるための沸き上げ時間を予測して算出する。ここでは、前記算出した量の未加熱水を前記所定の目標温度まで沸き上げるのに必要な熱量を、予め学習していた平均冷房能力（目標室温となる前記エアコン設定温度Ｔｃｏｎと検出室温である前記室内温度Ｔｒとの差から算出）で除した値に基づき、沸き上げ時間を予測算出するようにしている。
【０１４１】
その後のステップＳ２５Ａでは、モード設定部４１０Ｅは、前記ステップＳ２０Ａで算出された未加熱水の沸き上げ時間が、予め定めたしきい値（第２しきい値。この例では４０分）以上であるか否かを判定する。４０分未満であれば判定が満たされず（Ｓ２５Ａ：Ｎｏ）前記ステップＳ３０に移り、４０分以上であれば判定が満たされ（Ｓ２５Ａ：Ｙｅｓ）前記ステップＳ３５に移る。以降、ステップＳ３０、ステップＳ３５、ステップＳ４５については図１１で前記したものと同様の処理である。
【０１４２】
また、ステップＳ５５Ａでは、前記ステップＳ２０Ａと同様、前記モード設定部４１０Ｅは、前記貯湯温度センサ１２の検出結果に基づき、公知の手法で貯湯タンク２内の未加熱水の量を算出し、その算出した量の未加熱水を、前記した所定の目標温度まで沸き上げるための沸き上げ時間を予測して算出する。その後のステップＳ６０Ａでは、モード設定部４１０Ｅは、前記ステップＳ５５Ａで算出された未加熱水の沸き上げ時間が、予め定めたしきい値（第６しきい値。この例では４０分）以上であるか否かを判定する。４０分以上であれば判定が満たされ（Ｓ６０Ａ：Ｎｏ）、前記ステップＳ４５に移る。一方、４０分未満であれば判定が満たされず（Ｓ６０Ａ：Ｎｏ）、ステップＳ６５Ａに移る。
【０１４３】
ステップＳ６５Ａでは、モード設定部４１０Ｅは、前記ステップＳ５５Ａで算出された未加熱水の沸き上げ時間が、予め定めたしきい値（上記第６しきい値より小さい第７しきい値。この例では前記４０分より短い２０分）以上であるか否かを判定する。２０分未満であれば判定が満たされず（Ｓ６５Ａ：Ｎｏ）、ステップＳ７５に移る。以降、ステップＳ７５及びステップＳ８０については図１１で前記したものと同様の処理である。
【０１４４】
一方、前記ステップＳ６５Ａにおいて、前記ステップＳ５５Ａで算出された未加熱水の沸き上げ時間が前記しきい値（２０分）以上であった場合には判定が満たされ（Ｓ６５Ａ：ＹＥＳ）、ステップＳ７０Ａに移る。ステップＳ７０Ａでは、モード設定部４１０Ｅは、図１１のステップＳ７０と同様、前記室内温度Ｔｒと、前記エアコン設定温度Ｔｃｏｎとの温度差Ｔｒ−Ｔｃｏｎが、予め定めたしきい値（第８しきい値。この例では図１１と同じ３℃。但し図１１とは異なる値としても良い）以上であるか否かを判定する。３℃以上であれば判定が満たされ（Ｓ７０Ａ：ＹＥＳ）、前記ステップＳ４５に移行する。３℃未満であれば判定が満たされず（Ｓ７０Ａ：ＮＯ）、前記ステップＳ７５に移行する。
【０１４５】
以上のように構成した本変形例においても、前記実施形態と同様の効果を得ることができる。特に、前記貯湯タンク２内の未加熱水を所定温度にするための沸上時間が算出されて（ステップＳ２０Ａ参照）、沸上時間の長短に応じて、前記モード決定が行われる。これにより、貯湯タンク内に未加熱水が比較的多くある場合（算出された沸上時間が長い場合）に、前記沸上・冷房モードの運転として、前記排熱を確実に有効利用することができる。
【０１４６】
また、ステップＳ２５Ａの判定に基づきモード決定が行われることで、貯湯タンク２内の未加熱水が比較的少ない場合（算出された前記沸上時間が短い場合）には、前記沸上・冷房モードに切り替えず前記冷房モードのままの運転として（ステップＳ３０参照）、前記室温上昇を確実に防止することができる。
【０１４７】
また、本変形例では特に、未加熱水の前記沸き上げ時間が前記第２しきい値（前記の例では４０分。ステップＳ２５Ａ参照）以上の場合に前記沸上・冷房モードの運転とすることで、前記排熱を確実に有効利用した沸上を実行することができ、沸き上げ時間が前記第２しきい値未満の場合に前記冷房モードのままの運転とすることで、前記室温上昇を確実に防止できる。
【０１４８】
また、本変形例では特に、前記沸上・冷房モードでの運転がなされた後、前記所定量の沸上が完了した際に、前記貯湯タンク２内の未加熱水を所定温度にするための沸上時間が算出される。そして沸上時間の長短に応じてモード決定が行われる（ステップＳ６０Ａ参照）。これにより、貯湯タンク２内に未加熱水が比較的多くある場合（算出された沸上時間が長い場合）に、前記沸上・冷房モードのままの運転として、前記排熱を確実に有効利用することができる。
また、貯湯タンク２内の未加熱水が比較的少ない場合（算出された沸上時間が短い場合）には、前記沸上・冷房モードのまま運転しても短時間のうちに沸上完了してしまい冷房モードへの切り替えがいずれにしても必要になるとみて、早めのタイミングにて沸上・冷房モードから前記冷房モードに切り替えを実行可能となる（前記ステップＳ６５Ａ参照）。
【０１４９】
また、本変形例では特に、算出された前記沸き上げ時間が第６しきい値（前記の例では４０分。ステップＳ６０Ａ参照）  未満であったことを契機に、前記沸上・冷房モードから前記冷房モードに切り替え、算出された前記沸き上げ時間が前記第６しきい値以上であれば、前記沸上・冷房モードのままとする。沸き上げ時間が前記第６しきい値以上の場合に前記沸上・冷房モードのままの運転とすることで、前記排熱を確実に有効利用した沸上を実行することができ、沸き上げ時間が前記第６しきい値未満の場合に（いずれ必要となる）前記冷房モードへの切り替えを確実に実行可能となる（ステップＳ７５参照）。
【０１５０】
また、本変形例では特に、前記のように沸き上げ時間が前記第６しきい値未満の場合であったとしてもそれより小さい適宜の第７しきい値（前記の例では２０分。ステップＳ６５Ａ参照）以上であって（これによって沸上完了までの沸上時間がある程度は確保されることとなる）、かつ前記温度差Ｔｒ−Ｔｃｏｎが所定の第８しきい値（前記の例では３℃。ステップＳ７０Ａ参照）以上である場合には、前記沸上・冷房モードのままの運転とすることで、前記快適性の低下を確実に防止することができる。
【０１５１】
さらに、本発明は以上の態様に限定されることなく、例えば、前記二方弁１２１〜１２４のうち少なくとも１つを、閉止機能付きの膨張弁で置き換えても良い。また、前記膨張弁１１１〜１１３に代え、減圧器としてエジェクターを用いても良い。
【符号の説明】
【０１５２】
１                ヒートポンプ給湯機
２                貯湯タンク
４                加熱循環回路（湯水循環回路）
５                加熱往き管（湯水配管）
６                加熱戻り管（湯水配管）
１４              圧縮機
１５              水冷媒熱交換器
１５ａ            冷媒側の流路
１５ｂ            水側の流路
１７              室外熱交換器（ヒートポンプ熱交換器）
１８              冷媒配管
２７              室内熱交換器
３０              冷媒循環回路
３１              四方弁
３４              室内温度センサ
６７              室外ファン
７７              室内ファン
１００            貯湯ユニット
１１２            膨張弁（減圧器）
１２１            二方弁
１２２            二方弁
１２３            二方弁
１２４            二方弁
２００            ヒートポンプユニット（室外機）
３００            エアコンユニット（室内機）
４１０            ヒーポン制御部
４２０            貯湯制御部
４３０            エアコン制御部
Ｔａｉｒ          外気温度
Ｔｃｏｎ          エアコン設定温度
Ｔｒ              室内温度
【図１】
2018066518.tif 000003
【図２】
2018066518.tif 000004
【図３】
2018066518.tif 000005
【図４】
2018066518.tif 000006
【図５】
2018066518.tif 000007
【図６】
2018066518.tif 000008
【図７】
2018066518.tif 000009
【図８】
2018066518.tif 000010
【図９】
2018066518.tif 000011
【図１０】
2018066518.tif 000012
【図１１】
2018066518.tif 000013
【図１２】
2018066518.tif 000014
【図１３】
2018066518.tif 000015